(57)【特許請求の範囲】
【請求項１】
第１の情報の拡張された送信のための少なくとも１つのサブフレームを決定するステップと、
少なくとも１つの無線フレームにおける前記少なくとも１つのサブフレーム内で前記第１の情報を複数回繰り返し送信するステップであって、前記第１の情報を送信するステップは、前記少なくとも１つのサブフレーム内のチャネル状態情報−リファレンス信号（ＣＳＩ−ＲＳ）により占有されるリソースエレメント上での前記第１の情報の送信をスキップするステップを含む、送信するステップと
を含み、
前記第１の情報はマスタ情報ブロック（ＭＩＢ）であり、前記少なくとも１つの無線フレーム内で前記ＭＩＢを繰り返し送信する回数は１よりも大きく、または、前記第１の情報はシステム情報ブロックタイプ１（ＳＩＢ１）であり、少なくとも２つの連続する前記無線フレームの各々において前記ＳＩＢ１を繰り返し送信する回数は１よりも大きく、
周波数分割複信（ＦＤＤ）システムにおいて、前記少なくとも１つのサブフレームは、
ａ）サブフレーム９、または
ｂ）サブフレーム４および前記サブフレーム９、または
ｃ）前記サブフレーム４、または
ｄ）前記サブフレーム９およびサブフレーム０
を含む、情報送信方法。
【請求項２】
第１の情報の拡張された送信のための少なくとも１つのサブフレームを決定するステップと、
少なくとも１つの無線フレームにおける前記少なくとも１つのサブフレーム内で前記第１の情報を複数回繰り返し送信するステップであって、前記第１の情報を送信するステップは、前記少なくとも１つのサブフレーム内のチャネル状態情報−リファレンス信号（ＣＳＩ−ＲＳ）により占有されるリソースエレメント上での前記第１の情報の送信をスキップするステップを含む、送信するステップと
を含み、
前記第１の情報はマスタ情報ブロック（ＭＩＢ）であり、前記少なくとも１つの無線フレーム内で前記ＭＩＢを繰り返し送信する回数は１よりも大きく、または、前記第１の情報はシステム情報ブロックタイプ１（ＳＩＢ１）であり、少なくとも２つの連続する前記無線フレームの各々において前記ＳＩＢ１を繰り返し送信する回数は１よりも大きく、
時分割複信（ＴＤＤ）システムにおいて、前記少なくとも１つのサブフレームは、
ａ）サブフレーム０、または
ｂ）前記サブフレーム０およびサブフレーム５
を含む、情報送信方法。
【請求項３】
前記サブフレーム０は、少なくとも１つの奇数番号の無線フレーム内のサブフレーム０である
請求項１または２に記載の情報送信方法。
【請求項４】
前記サブフレーム４は、少なくとも１つの偶数番号の無線フレーム内のサブフレーム４、または少なくとも１つの奇数番号の無線フレームのサブフレーム４である
請求項１に記載の情報送信方法。
【請求項５】
前記サブフレーム５は、少なくとも１つの奇数番号の無線フレーム内のサブフレーム５である
請求項２に記載の情報送信方法。
【請求項６】
第１の情報の拡張された送信のための少なくとも１つのサブフレームを決定するステップと、
少なくとも１つの無線フレームにおける前記少なくとも１つのサブフレーム内で複数回繰り返し送信される前記第１の情報を受信するステップであって、前記第１の情報は、前記少なくとも１つのサブフレーム内のＣＳＩ−ＲＳにより占有されるリソースエレメント上での前記第１の情報のスキップ送信を介して送信される、受信するステップと
を含み、
前記第１の情報はＭＩＢであり、前記少なくとも１つの無線フレーム内で繰り返し送信される前記ＭＩＢを受信する回数は１よりも大きく、または、前記第１の情報はＳＩＢ１であり、少なくとも２つの連続する前記無線フレームの各々において繰り返し送信される前記ＳＩＢ１を受信する回数は１よりも大きく、
周波数分割複信（ＦＤＤ）システムにおいて、前記少なくとも１つのサブフレームは、
ａ）サブフレーム９、または
ｂ）サブフレーム４および前記サブフレーム９、または
ｃ）前記サブフレーム４、または
ｄ）前記サブフレーム９およびサブフレーム０
を含む、情報受信方法。
【請求項７】
第１の情報の拡張された送信のための少なくとも１つのサブフレームを決定するステップと、
少なくとも１つの無線フレームにおける前記少なくとも１つのサブフレーム内で複数回繰り返し送信される前記第１の情報を受信するステップであって、前記第１の情報は、前記少なくとも１つのサブフレーム内のＣＳＩ−ＲＳにより占有されるリソースエレメント上での前記第１の情報のスキップ送信を介して送信される、受信するステップと
を含み、
前記第１の情報はＭＩＢであり、前記少なくとも１つの無線フレーム内で繰り返し送信される前記ＭＩＢを受信する回数は１よりも大きく、または、前記第１の情報はＳＩＢ１であり、少なくとも２つの連続する前記無線フレームの各々において繰り返し送信される前記ＳＩＢ１を受信する回数は１よりも大きく、
時分割複信（ＴＤＤ）システムにおいて、前記少なくとも１つのサブフレームは、
ａ）サブフレーム０、または
ｂ）前記サブフレーム０およびサブフレーム５
を含む、情報受信方法。
【請求項８】
前記サブフレーム０は、少なくとも１つの奇数番号の無線フレーム内のサブフレーム０である
請求項６または７に記載の情報受信方法。
【請求項９】
前記サブフレーム４は、少なくとも１つの偶数番号の無線フレーム内のサブフレーム４、または少なくとも１つの奇数番号の無線フレームのサブフレーム４である
請求項６に記載の情報受信方法。
【請求項１０】
前記サブフレーム５は、少なくとも１つの奇数番号の無線フレーム内のサブフレーム５である
請求項７に記載の情報受信方法。
【請求項１１】
第１の情報の拡張された送信のための少なくとも１つのサブフレームを決定するように構成されたプロセッサと、
少なくとも１つの無線フレームにおける前記少なくとも１つのサブフレーム内で前記第１の情報を複数回繰り返し送信するように構成された送信機であって、前記第１の情報は、前記少なくとも１つのサブフレーム内のＣＳＩ−ＲＳにより占有されるリソースエレメント上での前記第１の情報のスキップ送信を介して送信される、送信機と
を備え、
前記第１の情報はＭＩＢであり、前記少なくとも１つの無線フレーム内で前記ＭＩＢを繰り返し送信する回数は１よりも大きく、または、前記第１の情報はＳＩＢ１であり、少なくとも２つの連続する前記無線フレームの各々において前記ＳＩＢ１を繰り返し送信する回数は１よりも大きく、
周波数分割複信（ＦＤＤ）システムにおいて、前記少なくとも１つのサブフレームは、
ａ）サブフレーム９、または
ｂ）サブフレーム４および前記サブフレーム９、または
ｃ）前記サブフレーム４、または
ｄ）前記サブフレーム９およびサブフレーム０
を含む、ネットワークデバイス。
【請求項１２】
第１の情報の拡張された送信のための少なくとも１つのサブフレームを決定するように構成されたプロセッサと、
少なくとも１つの無線フレームにおける前記少なくとも１つのサブフレーム内で前記第１の情報を複数回繰り返し送信するように構成された送信機であって、前記第１の情報は、前記少なくとも１つのサブフレーム内のＣＳＩ−ＲＳにより占有されるリソースエレメント上での前記第１の情報のスキップ送信を介して送信される、送信機と
を備え、
前記第１の情報はＭＩＢであり、前記少なくとも１つの無線フレーム内で前記ＭＩＢを繰り返し送信する回数は１よりも大きく、または、前記第１の情報はＳＩＢ１であり、少なくとも２つの連続する前記無線フレームの各々において前記ＳＩＢ１を繰り返し送信する回数は１よりも大きく、
時分割複信（ＴＤＤ）システムにおいて、前記少なくとも１つのサブフレームは、
ａ）サブフレーム０、または
ｂ）前記サブフレーム０およびサブフレーム５
を含む、ネットワークデバイス。
【請求項１３】
前記サブフレーム０は、少なくとも１つの奇数番号の無線フレーム内のサブフレーム０である
請求項１１または１２に記載のネットワークデバイス。
【請求項１４】
前記サブフレーム４は、少なくとも１つの偶数番号の無線フレーム内のサブフレーム４、または少なくとも１つの奇数番号の無線フレームのサブフレーム４である
請求項１１に記載のネットワークデバイス。
【請求項１５】
前記サブフレーム５は、少なくとも１つの奇数番号の無線フレーム内のサブフレーム５である
請求項１２に記載のネットワークデバイス。
【請求項１６】
第１の情報の拡張された送信のための少なくとも１つのサブフレームを決定するように構成されたプロセッサと、
少なくとも１つの無線フレームにおける前記少なくとも１つのサブフレーム内で複数回繰り返し送信される前記第１の情報を受信するように構成された受信機であって、前記第１の情報は、前記少なくとも１つのサブフレーム内のＣＳＩ−ＲＳにより占有されるリソースエレメント上での前記第１の情報のスキップ送信を介して送信される、受信機と
を備え、
前記第１の情報はＭＩＢであり、前記少なくとも１つの無線フレーム内で繰り返し送信されるＭＩＢを受信する回数は１よりも大きく、または、前記第１の情報はＳＩＢ１であり、少なくとも２つの連続する前記無線フレームの各々において繰り返し送信される前記ＳＩＢ１を受信する回数は１よりも大きく、
周波数分割複信（ＦＤＤ）システムにおいて、前記少なくとも１つのサブフレームは、
ａ）サブフレーム９、または
ｂ）サブフレーム４および前記サブフレーム９、または
ｃ）前記サブフレーム４、または
ｄ）前記サブフレーム９およびサブフレーム０
を含む、情報受信デバイス。
【請求項１７】
第１の情報の拡張された送信のための少なくとも１つのサブフレームを決定するように構成されたプロセッサと、
少なくとも１つの無線フレームにおける前記少なくとも１つのサブフレーム内で複数回繰り返し送信される前記第１の情報を受信するように構成された受信機であって、前記第１の情報は、前記少なくとも１つのサブフレーム内のＣＳＩ−ＲＳにより占有されるリソースエレメント上での前記第１の情報のスキップ送信を介して送信される、受信機と
を備え、
前記第１の情報はＭＩＢであり、前記少なくとも１つの無線フレーム内で繰り返し送信されるＭＩＢを受信する回数は１よりも大きく、または、前記第１の情報はＳＩＢ１であり、少なくとも２つの連続する前記無線フレームの各々において繰り返し送信される前記ＳＩＢ１を受信する回数は１よりも大きく、
時分割複信（ＴＤＤ）システムにおいて、前記少なくとも１つのサブフレームは、
ａ）サブフレーム０、または
ｂ）前記サブフレーム０およびサブフレーム５
を含む、情報受信デバイス。
【請求項１８】
前記サブフレーム０は、少なくとも１つの奇数番号の無線フレーム内のサブフレーム０である
請求項１６または１７に記載の情報受信デバイス。
【請求項１９】
前記サブフレーム４は、少なくとも１つの偶数番号の無線フレーム内のサブフレーム４、または少なくとも１つの奇数番号の無線フレームのサブフレーム４である
請求項１６に記載の情報受信デバイス。
【請求項２０】
前記サブフレーム５は、少なくとも１つの奇数番号の無線フレーム内のサブフレーム５である
請求項１７に記載の情報受信デバイス。
【請求項２１】
請求項１〜５のいずれか１項に記載の情報送信方法をコンピュータに実行させるためのコンピュータプログラム。
【請求項２２】
請求項６〜１０のいずれか１項に記載の情報受信方法をコンピュータに実行させるためのコンピュータプログラム。
【発明の詳細な説明】
【技術分野】
【０００１】
本発明は、通信分野に関し、特に、情報送信方法、情報送信装置、および情報送信システムに関する。
【背景技術】
【０００２】
本出願は、２０１３年９月１３日に中国特許庁に出願され、「ＩＮＦＯＲＭＡＴＩＯＮ  ＴＲＡＮＳＭＩＳＳＩＯＮ  ＭＥＴＨＯＤ，ＡＰＰＡＲＡＴＵＳ，ＡＮＤ  ＳＹＳＴＥＭ」と題された中国特許出願第ＰＣＴ／ＣＮ２０１３／０８３５０２号の優先権を主張し、この中国特許出願は、その全体が参照によって本明細書に組み込まれる。
【０００３】
ＬＴＥ（Ｌｏｎｇ  Ｔｅｒｍ  Ｅｖｏｌｕｔｉｏｎ、ロングタームエボリューション）ベースのコスト効率が高いＭＴＣ（Ｍａｃｈｉｎｅ  Ｔｙｐｅ  Ｃｏｍｍｕｎｉｃａｔｉｏｎ、マシンタイプ通信）においては、ＵＥ（Ｕｓｅｒ  Ｅｑｕｉｐｍｅｎｔ、ユーザ機器）が地下に存在する場合またはチャネル品質が低い場合に、ＵＥが基地局と確実に通信することができるように、カバレッジ拡張が、ＬＴＥネットワークのカバレッジに対して実行される必要がある。既存のＬＴＥシステムまたはＬＴＥ−Ａ（ＬＴＥ  Ａｄｖａｎｃｅｄ、ＬＴＥアドバンスト）システムにおいて、時間ドメインリソースは、無線フレームとして分割され、無線フレームは、０から１０２３まで番号を付される。１つの無線フレームは、１０個のサブフレームを含み、１つのサブフレームの時間長は、１ミリ秒（１ｍｓ）であり、各無線フレーム内のサブフレームは、０から９まで番号を付される。既存のＬＴＥシステムまたはＬＴＥ−Ａシステムにおいて、ＭＩＢ（Ｍａｓｔｅｒ  Ｉｎｆｏｒｍａｔｉｏｎ  Ｂｌｏｃｋ、マスタ情報ブロック）の１回の送信を伝送するためのＰＢＣＨ（Ｐｈｙｓｉｃａｌ  Ｂｒｏａｄｃａｓｔ  Ｃｈａｎｎｅｌ、物理ブロードキャストチャネル）、ＳＩＢ１（Ｓｙｓｔｅｍ  Ｉｎｆｏｒｍａｔｉｏｎ  Ｂｌｏｃｋ  Ｔｙｐｅ  １、システム情報ブロックタイプ１）の１回の送信をスケジューリングするためのＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）、ＳＩＢ１の１回の送信を伝送するためのＰＤＳＣＨ（Ｐｈｙｓｉｃａｌ  Ｄｏｗｎｌｉｎｋ  Ｓｈａｒｅｄ  Ｃｈａｎｎｅｌ、物理ダウンリンク共有チャネル）、ＳＩ（Ｓｙｓｔｅｍ  Ｉｎｆｏｒｍａｔｉｏｎ、システム情報）の１回の送信をスケジューリングするためのＰＤＣＣＨ、およびＳＩの１回の送信を伝送するためのＰＤＳＣＨは全て、１つのサブフレーム内で送信される。
【０００４】
カバレッジ拡張の場合、基地局は、ＭＩＢの送信信頼度を改善するためにＭＩＢ情報を複数回送信してもよく、ＭＩＢの複数回の送信を伝送するためのＰＢＣＨは、拡張されたＰＢＣＨと称され得る。同様に、基地局は、制御情報の送信信頼度を改善するために制御情報を複数回送信してもよく、制御情報の複数回の送信を伝送するためのＰＤＣＣＨは、拡張されたＰＤＣＣＨと称され得る。基地局は、データの送信信頼度を改善するためにデータを複数回送信してもよく、データの複数回の送信を伝送するためのＰＤＳＣＨは、拡張されたＰＤＳＣＨと称される。本明細書におけるデータは、ＳＩＢ１、ＳＩ、別のＳＩＢ、ユニキャストデータ、ページングメッセージ、ランダムアクセス応答、または他の共通データを含むが、これらに限定されない。
【０００５】
既存のＬＴＥシステムまたはＬＴＥ−Ａシステムにおいて、ＴＤＤ（Ｔｉｍｅ  Ｄｉｖｉｓｉｏｎ  Ｄｕｐｌｅｘ、時分割複信）構成は、ＳＩＢ１内に含まれ、どのサブフレームが特殊サブフレームであるか、および特殊サブフレームの構成は、ＴＤＤ構成において決定されている。また、ＭＢＳＦＮ（Ｍｕｌｔｉｃａｓｔ−ｂｒｏａｄｃａｓｔ  ｓｉｎｇｌｅ−ｆｒｅｑｕｅｎｃｙ  ｎｅｔｗｏｒｋ、マルチキャスト−ブロードキャスト単一周波数ネットワーク）サブフレーム構成は、ＳＩＢ２に含まれ、ＳＩ（Ｓｙｓｔｅｍ  Ｉｎｆｏｒｍａｔｉｏｎ、システム情報）は、特殊サブフレームまたはＭＢＳＦＮサブフレーム内で送信されることができない。しかしながら、カバレッジ拡張の場合、カバレッジ拡張を必要とするＵＥは、ＳＩＢ１およびＳＩＢ２を受信する前に、ＴＤＤ構成およびＭＢＳＦＮサブフレーム構成を学習することができない。そのため、拡張された送信（enhanced transmission）が、第１の情報に対して実行される場合、拡張された送信において使用されるサブフレームが決定されることができず、それによって、第１の情報の送信信頼度を低下させる。第１の情報は、マスタ情報ブロック、ＴＤＤ構成を含むＳＩＢ、またはＭＢＳＦＮサブフレーム構成を含むＳＩＢであり得る。拡張された送信は、反復送信、スペクトル拡散送信、送信時間間隔バンドリング送信、電力増加送信、または再送信であり得る。
【発明の概要】
【０００６】
本発明の実施形態は、第１の情報の拡張された送信において使用されるサブフレームを決定して、第１の情報の送信信頼度を改善することができる情報送信方法、情報送信装置、および情報送信システムを提供する。
【０００７】
前述の課題を達成するために、下記の技術的解決策が、本発明の実施形態において使用される。
【０００８】
第１の態様によれば、本発明の実施形態は、情報送信方法を提供し、この方法は、
第１の情報の拡張された送信のためのサブフレームを決定するステップと、
第１の情報の拡張された送信のための決定されたサブフレーム内で、第１の情報を複数回繰り返して送信し、第１の情報の拡張された送信によって占有されるリソースエレメントの送信上でのチャネル状態情報−リファレンス信号ＣＳＩ−ＲＳ送信をスキップするステップと
を含み、
第１の情報は、マスタ情報ブロックＭＩＢであり、少なくとも１つの無線フレーム内でＭＩＢを繰り返して送信する回数は、１回よりも多く、または、第１の情報は、システム情報ブロックタイプ１  ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０００９】
第１の態様に係る、第１の取り得る実装手法において、
周波数分割複信ＦＤＤシステムの場合、第１の情報の拡張された送信のためのサブフレームは、サブフレーム０、サブフレーム４、サブフレーム５、およびサブフレーム９のうちの１または複数のサブフレームを含み、
時分割複信ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００１０】
第１の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００１１】
第１の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００１２】
第１の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００１３】
第１の態様または第１の取り得る実装手法または第４の取り得る実装手法を参照すると、第５の取り得る実装手法において、第１の情報の拡張された送信によって占有されるリソースエレメントの送信上でのチャネル状態情報−リファレンス信号ＣＳＩ−ＲＳ送信をスキップするステップは、具体的には、
ＣＳＩ−ＲＳ送信によって占有されるリソースエレメントおよびＣＳＩ−ＲＳ送信のためのサブフレームを決定するステップと、
ＣＳＩ−ＲＳ送信のためのサブフレームが、第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップするステップと
を含む。
【００１４】
第１の態様または第１の取り得る実装手法または第５の取り得る実装手法を参照すると、第６の取り得る実装手法において、第１の情報の拡張された送信によって占有されるリソースエレメントの送信上でのチャネル状態情報−リファレンス信号ＣＳＩ−ＲＳ送信をスキップするステップは、具体的には、
ＣＳＩ−ＲＳ送信によって占有されるリソースエレメントを決定するステップと、
第１の情報の拡張された送信のための決定されたサブフレーム内で、ＣＳＩ−ＲＳ送信によって占有されるリソースエレメント上で第１の情報を送信することをスキップするステップと
を含む。
【００１５】
第１の態様または第１の取り得る実装手法または第６の取り得る実装手法を参照すると、第７の取り得る実装手法において、第１の情報の拡張された送信によって占有されるリソースエレメントの送信上でのチャネル状態情報−リファレンス信号ＣＳＩ−ＲＳ送信をスキップするステップは、具体的には、
ＣＳＩ−ＲＳ送信のためのサブフレームを決定するステップと、
ＣＳＩ−ＲＳ送信のためのサブフレーム内で第１の情報を送信することをスキップするステップと
を含む。
【００１６】
第１の態様または第１の取り得る実装手法乃至第７の取り得る実装手法を参照すると、第８の取り得る実装手法において、ＣＳＩ−ＲＳ送信によって占有されるリソースエレメントを決定するステップは、具体的には、
予め設定された規則に従って、利用可能なＣＳＩ−ＲＳ構成を決定し、または利用可能なＣＳＩ−ＲＳ構成を設定し、シグナリングを使用することによって、利用可能なＣＳＩ−ＲＳ構成をユーザ機器に通知するステップであって、利用可能なＣＳＩ−ＲＳ構成は、１または複数のＣＳＩ−ＲＳ構成を含む、ステップと、
利用可能なＣＳＩ−ＲＳ構成に従って、ＣＳＩ−ＲＳ送信によって占有されるリソースエレメントを決定するステップと
を含む。
【００１７】
第１の態様または第１の取り得る実装手法乃至第８の取り得る実装手法を参照すると、第９の取り得る実装手法において、ＣＳＩ−ＲＳ送信のためのサブフレームを決定するステップは、具体的には、
予め設定された規則に従って、利用可能なＣＳＩ−ＲＳサブフレーム構成を決定し、または利用可能なＣＳＩ−ＲＳサブフレーム構成を設定し、シグナリングを使用することによって、利用可能なＣＳＩ−ＲＳサブフレーム構成をユーザ機器に通知するステップであって、利用可能なＣＳＩ−ＲＳサブフレーム構成は、１または複数のＣＳＩ−ＲＳサブフレーム構成を含む、ステップと、
利用可能なＣＳＩ−ＲＳサブフレーム構成に従って、ＣＳＩ−ＲＳ送信のためのサブフレームを決定するステップと
を含む。
【００１８】
第１の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００１９】
第２の態様によれば、本発明の実施形態は、情報送信方法をさらに提供し、この方法は、
第１の情報の拡張された送信のためのサブフレームを決定するステップと、
第１の情報の拡張された送信のための決定されたサブフレーム内で、複数回繰り返して送信される第１の情報を受信し、複数回繰り返して送信される受信された第１の情報によって占有されるリソースエレメントの送信上でのＣＳＩ−ＲＳ送信をスキップするステップと
を含み、
第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【００２０】
第２の態様に係る、第１の取り得る実装手法において、
ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００２１】
第２の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００２２】
第２の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００２３】
第２の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００２４】
第２の態様または第１の取り得る実装手法乃至第４の取り得る実装手法を参照すると、第５の取り得る実装手法において、複数回繰り返して送信される受信された第１の情報によって占有されるリソースエレメントの送信上でのＣＳＩ−ＲＳ送信をスキップするステップは、具体的には、
ＣＳＩ−ＲＳ送信によって占有されるリソースエレメントおよびＣＳＩ−ＲＳ送信のためのサブフレームを決定するステップと、
ＣＳＩ−ＲＳ送信のためのサブフレームが、第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップするステップと
を含む。
【００２５】
第２の態様または第１の取り得る実装手法乃至第５の取り得る実装手法を参照すると、第６の取り得る実装手法において、複数回繰り返して送信される受信された第１の情報によって占有されるリソースエレメントの送信上でのＣＳＩ−ＲＳ送信をスキップするステップは、具体的には、
ＣＳＩ−ＲＳ送信によって占有されるリソースエレメントを決定するステップと、
第１の情報の拡張された送信のための決定されたサブフレーム内で、ＣＳＩ−ＲＳ送信によって占有されるリソースエレメント上で第１の情報を受信することをスキップするステップと
を含む。
【００２６】
第２の態様または第１の取り得る実装手法乃至第６の取り得る実装手法を参照すると、第７の取り得る実装手法において、複数回繰り返して送信される受信された第１の情報によって占有されるリソースエレメントの送信上でのＣＳＩ−ＲＳ送信をスキップするステップは、具体的には、
ＣＳＩ−ＲＳ送信のためのサブフレームを決定するステップと、
ＣＳＩ−ＲＳ送信のためのサブフレーム内で第１の情報を受信することをスキップするステップと
を含む。
【００２７】
第２の態様または第１の取り得る実装手法乃至第７の取り得る実装手法を参照すると、第８の取り得る実装手法において、ＣＳＩ−ＲＳ送信によって占有されるリソースエレメントを決定するステップは、具体的には、
予め設定された規則に従って、利用可能なＣＳＩ−ＲＳ構成を決定し、または基地局からシグナリングを受信するステップであって、シグナリングは、利用可能なＣＳＩ−ＲＳ構成を通知するために使用され、利用可能なＣＳＩ−ＲＳ構成は、１または複数のＣＳＩ−ＲＳ構成を含む、ステップと、
利用可能なＣＳＩ−ＲＳ構成に従って、ＣＳＩ−ＲＳ送信によって占有されるリソースエレメントを決定するステップと
を含む。
【００２８】
第２の態様または第１の取り得る実装手法乃至第８の取り得る実装手法を参照すると、第９の取り得る実装手法において、ＣＳＩ−ＲＳ送信のためのサブフレームを決定するステップは、具体的には、
予め設定された規則に従って、利用可能なＣＳＩ−ＲＳサブフレーム構成を決定し、または基地局からシグナリングを受信するステップであって、シグナリングは、利用可能なＣＳＩ−ＲＳサブフレーム構成を通知するために使用され、利用可能なＣＳＩ−ＲＳサブフレーム構成は、１または複数のＣＳＩ−ＲＳサブフレーム構成を含む、ステップと、
利用可能なＣＳＩ−ＲＳサブフレーム構成に従って、ＣＳＩ−ＲＳ送信のためのサブフレームを決定するステップと
を含む。
【００２９】
第２の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００３０】
第３の態様によれば、本発明の実施形態は、
第１の情報の拡張された送信のためのサブフレームを決定するように構成された決定モジュールと、
第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信モジュールと
を含む情報送信装置であって、
第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である、情報送信装置を提供する。
【００３１】
第３の態様に係る、第１の取り得る実装手法において、
ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００３２】
第３の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００３３】
第３の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００３４】
第３の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００３５】
第３の態様または第１の取り得る実装手法乃至第４の取り得る実装手法を参照すると、第５の取り得る実装手法において、
決定モジュールは、ＣＳＩ−ＲＳ送信によって占有されるリソースエレメントおよびＣＳＩ−ＲＳ送信のためのサブフレームを決定するようにさらに構成され、
送信モジュールは、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップするようにさらに構成される。
【００３６】
第３の態様または第１の取り得る実装手法乃至第５の取り得る実装手法を参照すると、第６の取り得る実装手法において、
決定モジュールは、ＣＳＩ−ＲＳ送信によって占有されるリソースエレメントを決定するようにさらに構成され、
送信モジュールは、第１の情報の拡張された送信のための決定されたサブフレーム内で、ＣＳＩ−ＲＳ送信によって占有されるリソースエレメント上で第１の情報を送信することをスキップするようにさらに構成される。
【００３７】
第３の態様または第１の取り得る実装手法乃至第６の取り得る実装手法を参照すると、第７の取り得る実装手法において、
決定モジュールは、ＣＳＩ−ＲＳ送信のためのサブフレームを決定するようにさらに構成され、
送信モジュールは、ＣＳＩ−ＲＳ送信のためのサブフレーム内で第１の情報を送信することをスキップするようにさらに構成される。
【００３８】
第３の態様または第１の取り得る実装手法乃至第７の取り得る実装手法を参照すると、第８の取り得る実装手法において、
決定モジュールは、具体的には、予め設定された規則に従って、利用可能なＣＳＩ−ＲＳ構成を決定し、または利用可能なＣＳＩ−ＲＳ構成を設定するように構成され、利用可能なＣＳＩ−ＲＳ構成は、１または複数のＣＳＩ−ＲＳ構成を含み、
決定モジュールは、具体的には、利用可能なＣＳＩ−ＲＳ構成に従って、ＣＳＩ−ＲＳ送信によって占有されるリソースエレメントを決定するように構成され、
情報送信装置は、
シグナリングを使用することによって、利用可能なＣＳＩ−ＲＳ構成をユーザ機器に通知するように構成された通知モジュール
をさらに含む。
【００３９】
第３の態様または第１の取り得る実装手法乃至第８の取り得る実装手法を参照すると、第９の取り得る実装手法において、
決定モジュールは、具体的には、予め設定された規則に従って、利用可能なＣＳＩ−ＲＳサブフレーム構成を決定し、または利用可能なＣＳＩ−ＲＳサブフレーム構成を設定するように構成され、利用可能なＣＳＩ−ＲＳサブフレーム構成は、１または複数のＣＳＩ−ＲＳサブフレーム構成を含み、
決定モジュールは、具体的には、利用可能なＣＳＩ−ＲＳサブフレーム構成に従って、ＣＳＩ−ＲＳ送信のためのサブフレームを決定するように構成され、
通知モジュールは、シグナリングを使用することによって、利用可能なＣＳＩ−ＲＳサブフレーム構成をユーザ機器に通知するようにさらに構成される。
【００４０】
第３の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００４１】
第４の態様によれば、本発明の実施形態は、
第１の情報の拡張された送信のためのサブフレームを決定するように構成された決定ユニットと、
第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信ユニットと
を含む情報送信装置であって、
第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢを受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である、情報送信装置をさらに提供する。
【００４２】
第４の態様に係る、第１の取り得る実装手法において、
ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００４３】
第４の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００４４】
第４の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００４５】
第４の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００４６】
第４の態様または第１の取り得る実装手法乃至第４の取り得る実装手法を参照すると、第５の取り得る実装手法において、
決定ユニットは、ＣＳＩ−ＲＳ送信によって占有されるリソースエレメントおよびＣＳＩ−ＲＳ送信のためのサブフレームを決定するようにさらに構成され、
受信ユニットは、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップするようにさらに構成される。
【００４７】
第４の態様または第１の取り得る実装手法乃至第５の取り得る実装手法を参照すると、第６の取り得る実装手法において、
決定ユニットは、ＣＳＩ−ＲＳ送信によって占有されるリソースエレメントを決定するようにさらに構成され、
受信ユニットは、第１の情報の拡張された送信のための決定されたサブフレーム内で、ＣＳＩ−ＲＳ送信によって占有されるリソースエレメント上で第１の情報を受信することをスキップするようにさらに構成される。
【００４８】
第４の態様または第１の取り得る実装手法乃至第６の取り得る実装手法を参照すると、第７の取り得る実装手法において、
決定ユニットは、ＣＳＩ−ＲＳ送信のためのサブフレームを決定するようにさらに構成され、
受信ユニットは、ＣＳＩ−ＲＳ送信のためのサブフレーム内で第１の情報を受信することをスキップするようにさらに構成される。
【００４９】
第４の態様または第１の取り得る実装手法乃至第７の取り得る実装手法を参照すると、第８の取り得る実装手法において、
決定ユニットは、具体的には、予め設定された規則に従って、利用可能なＣＳＩ−ＲＳ構成を決定するように構成され、利用可能なＣＳＩ−ＲＳ構成は、１または複数のＣＳＩ−ＲＳ構成を含み、
受信ユニットは、基地局からシグナリングを受信するようにさらに構成され、シグナリングは、利用可能なＣＳＩ−ＲＳ構成を通知するために使用され、
決定ユニットは、利用可能なＣＳＩ−ＲＳ構成に従って、ＣＳＩ−ＲＳ送信によって占有されるリソースエレメントを決定するようにさらに構成される。
【００５０】
第４の態様または第１の取り得る実装手法乃至第８の取り得る実装手法を参照すると、第９の取り得る実装手法において、
決定ユニットは、具体的には、予め設定された規則に従って、利用可能なＣＳＩ−ＲＳサブフレーム構成を決定するように構成され、利用可能なＣＳＩ−ＲＳサブフレーム構成は、１または複数のＣＳＩ−ＲＳサブフレーム構成を含み、
受信ユニットは、基地局からシグナリングを受信するようにさらに構成され、シグナリングは、利用可能なＣＳＩ−ＲＳサブフレーム構成を通知するために使用され、
決定ユニットは、利用可能なＣＳＩ−ＲＳサブフレーム構成に従って、ＣＳＩ−ＲＳ送信のためのサブフレームを決定するようにさらに構成される。
【００５１】
第４の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００５２】
第５の態様によれば、本発明の実施形態は、
第１の情報の拡張された送信のためのサブフレームを決定するように構成されたプロセッサと、
第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信器と
を含むネットワークデバイスであって、
第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である、ネットワークデバイスを提供する。
【００５３】
第５の態様に係る、第１の取り得る実装手法において、
ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００５４】
第５の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００５５】
第５の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００５６】
第５の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００５７】
第５の態様または第１の取り得る実装手法乃至第４の取り得る実装手法を参照すると、第５の取り得る実装手法において、
プロセッサは、ＣＳＩ−ＲＳ送信によって占有されるリソースエレメントおよびＣＳＩ−ＲＳ送信のためのサブフレームを決定するようにさらに構成され、
送信器は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップするようにさらに構成される。
【００５８】
第５の態様または第１の取り得る実装手法乃至第５の取り得る実装手法を参照すると、第６の取り得る実装手法において、
プロセッサは、ＣＳＩ−ＲＳ送信によって占有されるリソースエレメントを決定するようにさらに構成され、
送信器は、第１の情報の拡張された送信のための決定されたサブフレーム内で、ＣＳＩ−ＲＳ送信によって占有されるリソースエレメント上で第１の情報を送信することをスキップするようにさらに構成される。
【００５９】
第５の態様または第１の取り得る実装手法乃至第６の取り得る実装手法を参照すると、第７の取り得る実装手法において、
プロセッサは、ＣＳＩ−ＲＳ送信のためのサブフレームを決定するようにさらに構成され、
送信器は、ＣＳＩ−ＲＳ送信のためのサブフレーム内で第１の情報を送信することをスキップするようにさらに構成される。
【００６０】
第５の態様または第１の取り得る実装手法乃至第７の取り得る実装手法を参照すると、第８の取り得る実装手法において、
プロセッサは、具体的には、予め設定された規則に従って、利用可能なＣＳＩ−ＲＳ構成を決定し、または利用可能なＣＳＩ−ＲＳ構成を設定するように構成され、利用可能なＣＳＩ−ＲＳ構成は、１または複数のＣＳＩ−ＲＳ構成を含み、
プロセッサは、具体的には、利用可能なＣＳＩ−ＲＳ構成に従って、ＣＳＩ−ＲＳ送信によって占有されるリソースエレメントを決定するように構成され、
送信器は、シグナリングを使用することによって、利用可能なＣＳＩ−ＲＳ構成をユーザ機器に通知するようにさらに構成される。
【００６１】
第５の態様または第１の取り得る実装手法乃至第８の取り得る実装手法を参照すると、第９の取り得る実装手法において、
プロセッサは、具体的には、予め設定された規則に従って、利用可能なＣＳＩ−ＲＳサブフレーム構成を決定し、または利用可能なＣＳＩ−ＲＳサブフレーム構成を設定するように構成され、利用可能なＣＳＩ−ＲＳサブフレーム構成は、１または複数のＣＳＩ−ＲＳサブフレーム構成を含み、
プロセッサは、具体的には、利用可能なＣＳＩ−ＲＳサブフレーム構成に従って、ＣＳＩ−ＲＳ送信のためのサブフレームを決定するように構成され、
送信器は、シグナリングを使用することによって、利用可能なＣＳＩ−ＲＳサブフレーム構成をユーザ機器に通知するようにさらに構成される。
【００６２】
第５の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００６３】
第６の態様によれば、本発明の実施形態は、
第１の情報の拡張された送信のためのサブフレームを決定するように構成されたプロセッサと、
第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信器と
を含む情報送信デバイスであって、
第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である、情報送信デバイスをさらに提供する。
【００６４】
第６の態様に係る、第１の取り得る実装手法において、
ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【００６５】
第６の態様または第１の取り得る実装手法を参照すると、第２の取り得る実装手法において、
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【００６６】
第６の態様または第１の取り得る実装手法または第２の取り得る実装手法を参照すると、第３の取り得る実装手法において、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【００６７】
第６の態様または第１の取り得る実装手法乃至第３の取り得る実装手法を参照すると、第４の取り得る実装手法において、
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【００６８】
第６の態様または第１の取り得る実装手法乃至第４の取り得る実装手法を参照すると、第５の取り得る実装手法において、
プロセッサは、ＣＳＩ−ＲＳ送信によって占有されるリソースエレメントおよびＣＳＩ−ＲＳ送信のためのサブフレームを決定するようにさらに構成され、
受信器は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップするようにさらに構成される。
【００６９】
第６の態様または第１の取り得る実装手法乃至第５の取り得る実装手法を参照すると、第６の取り得る実装手法において、
プロセッサは、ＣＳＩ−ＲＳ送信によって占有されるリソースエレメントを決定するようにさらに構成され、
受信器は、第１の情報の拡張された送信のための決定されたサブフレーム内で、ＣＳＩ−ＲＳ送信によって占有されるリソースエレメント上で第１の情報を受信することをスキップするようにさらに構成される。
【００７０】
第６の態様または第１の取り得る実装手法乃至第６の取り得る実装手法を参照すると、第７の取り得る実装手法において、
プロセッサは、ＣＳＩ−ＲＳ送信のためのサブフレームを決定するようにさらに構成され、
受信器は、ＣＳＩ−ＲＳ送信のためのサブフレーム内で第１の情報を受信することをスキップするようにさらに構成される。
【００７１】
第６の態様または第１の取り得る実装手法乃至第７の取り得る実装手法を参照すると、第８の取り得る実装手法において、
プロセッサは、具体的には、予め設定された規則に従って、利用可能なＣＳＩ−ＲＳ構成を決定するように構成され、利用可能なＣＳＩ−ＲＳ構成は、１または複数のＣＳＩ−ＲＳ構成を含み、
受信器は、基地局からシグナリングを受信するようにさらに構成され、シグナリングは、利用可能なＣＳＩ−ＲＳ構成を通知するために使用され、
プロセッサは、利用可能なＣＳＩ−ＲＳ構成に従って、ＣＳＩ−ＲＳ送信によって占有されるリソースエレメントを決定するようにさらに構成される。
【００７２】
第６の態様または第１の取り得る実装手法乃至第８の取り得る実装手法を参照すると、第９の取り得る実装手法において、
プロセッサは、具体的には、予め設定された規則に従って、利用可能なＣＳＩ−ＲＳサブフレーム構成を決定するように構成され、利用可能なＣＳＩ−ＲＳサブフレーム構成は、１または複数のＣＳＩ−ＲＳサブフレーム構成を含み、
受信器は、基地局からシグナリングを受信するようにさらに構成され、シグナリングは、利用可能なＣＳＩ−ＲＳサブフレーム構成を通知するために使用され、
プロセッサは、利用可能なＣＳＩ−ＲＳサブフレーム構成に従って、ＣＳＩ−ＲＳ送信のためのサブフレームを決定するようにさらに構成される。
【００７３】
第６の態様または第１の取り得る実装手法乃至第９の取り得る実装手法を参照すると、第１０の取り得る実装手法において、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【００７４】
第７の態様によれば、本発明の実施形態は、上述された任意の特徴を有する基地局と、上述された任意の特徴を有するユーザ機器とを含む情報送信システムを提供する。
【００７５】
第８の態様によれば、本発明の実施形態は、情報送信方法を提供し、この方法は、
第１の情報の拡張された送信のためのサブフレームを決定するステップであって、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢである、決定するステップと、
第１の情報の拡張された送信のための決定されたサブフレーム内で第１の情報の拡張された送信を実行するステップと
を含む。
【００７６】
第８の態様に係る、第１の取り得る実装手法において、第１の情報の拡張された送信のための決定されたサブフレーム内で第１の情報の拡張された送信を実行するステップは、具体的には、
第１の情報が、マスタ情報ブロックである場合、少なくとも１つの無線フレーム内で、マスタ情報ブロックの拡張された送信を１回よりも多い回数実行するステップ、または、
第１の情報が、ＴＤＤ構成を含むＳＩＢである場合、少なくとも２つの連続する無線フレーム内で、ＳＩＢの拡張された送信を１回よりも多い回数実行するステップ、または、
第１の情報が、ＭＢＳＦＮサブフレーム構成を含むＳＩＢである場合、第１の情報の拡張された送信のための決定されたサブフレーム内で、ＳＩＢの拡張された送信を少なくとも２回である回数実行するステップ
を含む。
【００７７】
第８の態様または第１の取り得る実装手法を参照すると、第２の取り得る実装手法において、
周波数分割複信ＦＤＤシステムまたは半周波数分割複信Ｈａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【００７８】
第８の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【００７９】
第８の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【００８０】
第８の態様または第１の取り得る実装手法乃至第４の取り得る実装手法を参照すると、第５の取り得る実装手法において、
第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されず、
第１の情報の拡張された送信が、制御チャネルに基づいてスケジューリングされない場合、小帯域搬送波上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含む。
【００８１】
第８の態様または第１の取り得る実装手法乃至第５の取り得る実装手法を参照すると、第６の取り得る実装手法において、
第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在する。
【００８２】
第８の態様または第１の取り得る実装手法乃至第６の取り得る実装手法を参照すると、第７の取り得る実装手法において、方法は、
第１の情報の（ｒｅｐ＿ｉｎｄｅｘ＋１）回目の拡張された送信における冗長バージョンＲＶを決定するステップ
をさらに含み、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【００８３】
第８の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【００８４】
第９の態様によれば、本発明の実施形態は、情報送信方法をさらに提供し、この方法は、
第１の情報の拡張された送信のためのサブフレームを決定するステップであって、第１の情報は、マスタ情報ブロックであり、または、第１の情報は、ＴＤＤ構成を含むＳＩＢであり、または、第１の情報は、ＭＢＳＦＮサブフレーム構成を含むＳＩＢである、決定するステップと、
第１の情報の拡張された送信のための決定されたサブフレーム内で第１の情報を受信するステップと
を含む。
【００８５】
第９の態様に係る、第１の取り得る実装手法において、第１の情報の拡張された送信のための決定されたサブフレーム内で第１の情報を受信するステップは、具体的には、
第１の情報が、マスタ情報ブロックである場合、少なくとも１つの無線フレーム内で、マスタ情報ブロックを１回よりも多い回数受信するステップ、または、
第１の情報が、ＴＤＤ構成を含むＳＩＢである場合、少なくとも２つの連続する無線フレーム内で、ＳＩＢを１回よりも多い回数受信するステップ、または、
第１の情報が、ＭＢＳＦＮサブフレーム構成を含むＳＩＢである場合、第１の情報の拡張された送信のための決定されたサブフレーム内で、ＳＩＢを少なくとも２回である回数受信するステップ
を含む。
【００８６】
第９の態様または第１の取り得る実装手法を参照すると、第２の取り得る実装手法において、
ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【００８７】
第９の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【００８８】
第９の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【００８９】
第９の態様または第１の取り得る実装手法乃至第４の取り得る実装手法を参照すると、第５の取り得る実装手法において、
第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されず、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含む。
【００９０】
第９の態様または第１の取り得る実装手法乃至第５の取り得る実装手法を参照すると、第６の取り得る実装手法において、
第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在する。
【００９１】
第９の態様または第１の取り得る実装手法乃至第６の取り得る実装手法を参照すると、第７の取り得る実装手法において、方法は、
第１の情報の（ｒｅｐ＿ｉｎｄｅｘ＋１）回目の拡張された送信における冗長バージョンＲＶを決定するステップ
をさらに含み、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【００９２】
第９の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【００９３】
第１０の態様によれば、本発明の実施形態は、
第１の情報の拡張された送信のためのサブフレームを決定するように構成された決定モジュールであって、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢである、決定モジュールと、
決定モジュールが、第１の情報の拡張された送信のためのサブフレームを決定した後、第１の情報の拡張された送信のための決定されたサブフレーム内で、第１の情報の拡張された送信を実行するように構成された送出モジュールと
を含む情報送信装置を提供する。
【００９４】
第１０の態様に係る、第１の取り得る実装手法において、
送出モジュールは、具体的には、第１の情報がマスタ情報ブロックである場合、少なくとも１つの無線フレーム内で、マスタ情報ブロックの拡張された送信を１回よりも多い回数実行し、第１の情報がＴＤＤ構成を含むＳＩＢである場合、少なくとも２つの連続する無線フレーム内で、ＳＩＢの拡張された送信を１回よりも多い回数実行し、または、第１の情報がＭＢＳＦＮサブフレーム構成を含むＳＩＢである場合、第１の情報の拡張された送信のための決定されたサブフレーム内で、ＳＩＢの拡張された送信を少なくとも２回である回数実行するように構成される。
【００９５】
第１０の態様または第１の取り得る実装手法を参照すると、第２の取り得る実装手法において、
周波数分割複信ＦＤＤシステムまたは半周波数分割複信Ｈａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【００９６】
第１０の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【００９７】
第１０の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【００９８】
第１０の態様または第１の取り得る実装手法乃至第４の取り得る実装手法を参照すると、第５の取り得る実装手法において、
第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されず、
第１の情報の拡張された送信が、制御チャネルに基づいてスケジューリングされない場合、小帯域搬送波上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含む。
【００９９】
第１０の態様または第１の取り得る実装手法乃至第５の取り得る実装手法を参照すると、第６の取り得る実装手法において、
第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在する。
【０１００】
第１０の態様または第１の取り得る実装手法乃至第６の取り得る実装手法を参照すると、第７の取り得る実装手法において、
決定モジュールは、第１の情報の（ｒｅｐ＿ｉｎｄｅｘ＋１）回目の拡張された送信における冗長バージョンＲＶを決定するようにさらに構成され、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０１０１】
第１０の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【０１０２】
第１１の態様によれば、本発明の実施形態は、
第１の情報の拡張された送信のためのサブフレームを決定するように構成された決定モジュールであって、第１の情報は、マスタ情報ブロックであり、または、第１の情報は、ＴＤＤ構成を含むＳＩＢであり、または、第１の情報は、ＭＢＳＦＮサブフレーム構成を含むＳＩＢである、決定モジュールと、
決定モジュールが、第１の情報の拡張された送信のためのサブフレームを決定した後、第１の情報の拡張された送信のための決定されたサブフレーム内で第１の情報を受信するように構成された受信モジュールと
を含む情報送信装置をさらに提供する。
【０１０３】
第１１の態様に係る、第１の取り得る実装手法において、
受信モジュールは、具体的には、第１の情報がマスタ情報ブロックである場合、少なくとも１つの無線フレーム内で、マスタ情報ブロックを１回よりも多い回数受信し、第１の情報がＴＤＤ構成を含むＳＩＢである場合、少なくとも２つの連続する無線フレーム内で、ＳＩＢを１回よりも多い回数受信し、または、第１の情報がＭＢＳＦＮサブフレーム構成を含むＳＩＢである場合、第１の情報の拡張された送信のための決定されたサブフレーム内で、ＳＩＢを少なくとも２回である回数受信するように構成される。
【０１０４】
第１１の態様または第１の取り得る実装手法を参照すると、第２の取り得る実装手法において、
ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０１０５】
第１１の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０１０６】
第１１の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０１０７】
第１１の態様または第１の取り得る実装手法乃至第４の取り得る実装手法を参照すると、第５の取り得る実装手法において、
第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されず、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含む。
【０１０８】
第１１の態様または第１の取り得る実装手法乃至第５の取り得る実装手法を参照すると、第６の取り得る実装手法において、
第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在する。
【０１０９】
第１１の態様または第１の取り得る実装手法乃至第６の取り得る実装手法を参照すると、第７の取り得る実装手法において、
決定モジュールは、第１の情報の（ｒｅｐ＿ｉｎｄｅｘ＋１）回目の拡張された送信における冗長バージョンＲＶを決定するようにさらに構成され、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０１１０】
第１１の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【０１１１】
第１２の態様によれば、本発明の実施形態は、
第１の情報の拡張された送信のためのサブフレームを決定するように構成されたプロセッサであって、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢである、プロセッサと、
プロセッサが、第１の情報の拡張された送信のためのサブフレームを決定した後、第１の情報の拡張された送信のための決定されたサブフレーム内で、第１の情報の拡張された送信を実行するように構成された送信器と
を含むネットワークデバイスを提供する。
【０１１２】
第１２の態様に係る、第１の取り得る実装手法において、
送信器は、具体的には、第１の情報がマスタ情報ブロックである場合、少なくとも１つの無線フレーム内で、マスタ情報ブロックの拡張された送信を１回よりも多い回数実行し、第１の情報がＴＤＤ構成を含むＳＩＢである場合、少なくとも２つの連続する無線フレーム内で、ＳＩＢの拡張された送信を１回よりも多い回数実行し、または、第１の情報がＭＢＳＦＮサブフレーム構成を含むＳＩＢである場合、第１の情報の拡張された送信のための決定されたサブフレーム内で、ＳＩＢの拡張された送信を少なくとも２回である回数実行するように構成される。
【０１１３】
第１２の態様または第１の取り得る実装手法を参照すると、第２の取り得る実装手法において、
周波数分割複信ＦＤＤシステムまたは半周波数分割複信Ｈａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０１１４】
第１２の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０１１５】
第１２の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０１１６】
第１２の態様または第１の取り得る実装手法乃至第４の取り得る実装手法を参照すると、第５の取り得る実装手法において、
第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されず、
第１の情報の拡張された送信が、制御チャネルに基づいてスケジューリングされない場合、小帯域搬送波上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含む。
【０１１７】
第１２の態様または第１の取り得る実装手法乃至第５の取り得る実装手法を参照すると、第６の取り得る実装手法において、
第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在する。
【０１１８】
第１２の態様または第１の取り得る実装手法乃至第６の取り得る実装手法を参照すると、第７の取り得る実装手法において、
プロセッサは、第１の情報の（ｒｅｐ＿ｉｎｄｅｘ＋１）回目の拡張された送信における冗長バージョンＲＶを決定するようにさらに構成され、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０１１９】
第１２の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【０１２０】
第１３の態様によれば、本発明の実施形態は、
第１の情報の拡張された送信のためのサブフレームを決定するように構成されたプロセッサであって、第１の情報は、マスタ情報ブロックであり、または、第１の情報は、ＴＤＤ構成を含むＳＩＢであり、または、第１の情報は、ＭＢＳＦＮサブフレーム構成を含むＳＩＢである、プロセッサと、
プロセッサが、第１の情報の拡張された送信のためのサブフレームを決定した後、第１の情報の拡張された送信のための決定されたサブフレーム内で第１の情報を受信するように構成された受信器と
を含む情報送信デバイスをさらに提供する。
【０１２１】
第１３の態様に係る、第１の取り得る実装手法において、
受信器は、具体的には、第１の情報がマスタ情報ブロックである場合、少なくとも１つの無線フレーム内で、マスタ情報ブロックを１回よりも多い回数受信し、第１の情報がＴＤＤ構成を含むＳＩＢである場合、少なくとも２つの連続する無線フレーム内で、ＳＩＢを１回よりも多い回数受信し、または、第１の情報がＭＢＳＦＮサブフレーム構成を含むＳＩＢである場合、第１の情報の拡張された送信のための決定されたサブフレーム内で、ＳＩＢを少なくとも２回である回数受信するように構成される。
【０１２２】
第１３の態様または第１の取り得る実装手法を参照すると、第２の取り得る実装手法において、
ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０１２３】
第１３の態様または第１の取り得る実装手法または第２の取り得る実装手法を参照すると、第３の取り得る実装手法において、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０１２４】
第１３の態様または第１の取り得る実装手法乃至第３の取り得る実装手法を参照すると、第４の取り得る実装手法において、
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０１２５】
第１３の態様または第１の取り得る実装手法乃至第４の取り得る実装手法を参照すると、第５の取り得る実装手法において、
第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されず、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含む。
【０１２６】
第１３の態様または第１の取り得る実装手法乃至第５の取り得る実装手法を参照すると、第６の取り得る実装手法において、
第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在する。
【０１２７】
第１３の態様または第１の取り得る実装手法乃至第６の取り得る実装手法を参照すると、第７の取り得る実装手法において、
プロセッサは、第１の情報の（ｒｅｐ＿ｉｎｄｅｘ＋１）回目の拡張された送信における冗長バージョンＲＶを決定するようにさらに構成され、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０１２８】
第１３の態様または第１の取り得る実装手法乃至第７の取り得る実装手法を参照すると、第８の取り得る実装手法において、第１の情報の拡張された送信のためのサブフレームは、下記のうちのいずれか１つまたは組み合わせを含む：
第１の情報の拡張された送信のためのサブフレームは、第１の情報の拡張された送信機会におけるサブフレーム、または第１の情報の拡張された送信バンドルにおけるサブフレームであること、
第１の情報の拡張された送信のためのサブフレームは、少なくとも１つの無線フレーム内のサブフレームであること、および、
第１の情報の拡張された送信のためのサブフレームは、少なくとも１つのシステム情報ウィンドウ内のサブフレームであること。
【０１２９】
第１４の態様によれば、本発明の実施形態は、上述された任意の特徴を有するネットワークデバイスと、上述された任意の特徴を有する情報送信デバイスとを含む情報送信システムを提供する。
【０１３０】
本発明の実施形態において提供される情報送信方法、情報送信装置、および情報送信システムによれば、第１の情報の拡張された送信のためのサブフレームが決定され、第１の情報は、マスタ情報ブロックであり、または、第１の情報は、ＴＤＤ構成を含むＳＩＢであり、または、第１の情報は、ＭＢＳＦＮサブフレーム構成を含むＳＩＢであり、第１の情報の拡張された送信は、第１の情報の拡張された送信のための決定されたサブフレーム内で実行される。解決策によれば、第１の情報の拡張された送信において使用されるサブフレームが決定されて、第１の情報の送信信頼度を改善することができる。
【図面の簡単な説明】
【０１３１】
本開示の実施形態における技術的解決策をより明確に説明するために、下記は、実施形態を説明するために必要とされる添付の図面を簡単に説明する。明らかに、下記の説明における添付の図面は、単に本開示のいくつかの実施形態を示すにすぎず、当業者は、それでもなお、創造的努力なしに、これらの添付の図面から他の図面を導き得る。
【０１３２】
【図１】本開示の実施形態１に係る情報送信方法の第１の概略フローチャートである。
【図２】本開示の実施形態２に係る情報送信方法の第２の概略フローチャートである。
【図３】本開示の実施形態３に係る情報送信方法の第３の概略フローチャートである。
【図４】本開示の実施形態３に従って、ＣＳＩ−ＲＳによって占有されるリソースエレメントを基地局によって決定する概略フローチャートである。
【図５】本開示の実施形態３に従って、ＣＳＩ−ＲＳ送信のためのサブフレームを基地局によって決定する概略フローチャートである。
【図６】本開示の実施形態４に係る情報送信方法の第４の概略フローチャートである。
【図７】本開示の実施形態５に係る情報送信方法の第５の概略フローチャートである。
【図８】本開示の実施形態６に係る別の情報送信方法の第１の概略フローチャートである。
【図９】本開示の実施形態７に係る別の情報送信方法の第２の概略フローチャートである。
【図１０】本開示の実施形態８に係る別の情報送信方法の第３の概略フローチャートである。
【図１１】本開示の実施形態８に従って、ＣＳＩ−ＲＳによって占有されるリソースエレメントをユーザ機器によって決定する概略フローチャートである。
【図１２】本開示の実施形態８に従って、ＣＳＩ−ＲＳ送信のためのサブフレームをユーザ機器によって決定する概略フローチャートである。
【図１３】本開示の実施形態９に係る別の情報送信方法の第４の概略フローチャートである。
【図１４】本開示の実施形態１０に係る別の情報送信方法の第５の概略フローチャートである。
【図１５】本開示の実施形態１１に係る情報送信装置の第１の概略構造図である。
【図１６】本開示の実施形態１１に係る情報送信装置の第２の概略構造図である。
【図１７】本開示の実施形態１２に係る別の情報送信装置の概略構造図である。
【図１８】本開示の実施形態１３に係るネットワークデバイスの概略構造図である。
【図１９】本開示の実施形態１４に係る情報送信デバイスの概略構造図である。
【図２０】本開示の実施形態１６に係る情報送信方法の概略フローチャートである。
【図２１】本開示の実施形態１７に係る情報送信方法の概略フローチャートである。
【図２２】本開示の実施形態１８に係る情報送信方法の概略フローチャートである。
【図２３】本開示の実施形態１９に係る情報送信方法の概略フローチャートである。
【図２４】本開示の実施形態２０に係る情報送信装置の概略構造図である。
【図２５】本開示の実施形態２１に係る情報送信装置の概略構造図である。
【図２６】本開示の実施形態２２に係るネットワークデバイスの概略構造図である。
【図２７】本開示の実施形態２３に係る情報送信デバイスの概略構造図である。
【発明を実施するための形態】
【０１３３】
下記は、本開示の実施形態において添付の図面を参照しつつ、本開示の実施形態における技術的解決策を明確に説明する。明らかに、説明される実施形態は、本開示の実施形態の一部にすぎず、全部ではない。当業者によって、創造的努力なしに、本開示の実施形態に基づいて得られる全ての他の実施形態は、本開示の保護範囲内に収まるべきものである。
【０１３４】
本開示の実施形態において説明されるネットワークデバイスは、基地局であってもよく、または、ルータ、ゲートウェイ、もしくはモビリティ管理エンティティなどのネットワークデバイスであってもよい。本開示の実施形態において説明される情報送信デバイスは、ユーザ機器であってもよく、または、情報を送信するように構成され得る別のデバイスであってもよい。本開示は、それに対して限定を設定しない。本開示について、本開示の具体的な実施形態は、ネットワークデバイスが基地局であり、情報送信デバイスがユーザ機器である例を使用することによって説明される。また、本開示において言及される拡張された送信は、反復送信、スペクトル拡散送信、送信時間間隔バンドリング送信、電力増加送信、または再送信における、１または複数のタイプの送信であってもよく、これは、本開示において限定されない。
【実施例１】
【０１３５】
本開示のこの実施形態は、情報送信方法を提供する。図１に示されるように、方法は、下記を含む。
【０１３６】
Ｓ１０１：基地局は、第１の情報の拡張された送信のためのサブフレームを決定する。
【０１３７】
ユーザ機器が地下に存在する場合またはチャネル品質が低い場合に、ユーザ機器が基地局と確実に通信することを確保するために、カバレッジ拡張が、ＬＴＥネットワークのカバレッジに対して実行される必要がある。既存のＬＴＥシステムまたはＬＴＥ−Ａシステムにおいて、ＭＩＢの１回の送信を伝送するためのＰＢＣＨ、ＳＩＢ１の１回の送信をスケジューリングするためのＰＤＣＣＨ、ＳＩＢ１の１回の送信を伝送するためのＰＤＳＣＨ、ＳＩの１回の送信をスケジューリングするためのＰＤＣＣＨ、およびＳＩの１回の送信を伝送するためのＰＤＳＣＨは全て、１つのサブフレーム内で送信される。既存のＬＴＥシステムまたはＬＴＥ−Ａシステムにおいて、ユーザ機器は、ＣＳＩ−ＲＳを使用することによってチャネル測定を実行する。ユーザ機器が、どのサブフレーム内でＣＳＩ−ＲＳが送信されるかを学習し、ＣＳＩ−ＲＳの構成も学習するように、基地局は、専用シグナリングを使用することによって、ユーザ機器についてのＣＳＩ−ＲＳ構成およびＣＳＩ−ＲＳサブフレーム構成を実行する。
【０１３８】
カバレッジ拡張の場合、ＭＩＢ情報は、ＭＩＢの送信信頼度を改善するために複数回送信されてもよく、ＭＩＢの複数回の送信を伝送するためのＰＢＣＨは、拡張されたＰＢＣＨと称され得る。同様に、制御情報は、制御情報の送信信頼度を改善するために複数回送信されてもよく、制御情報の複数回の送信を伝送するためのＰＤＣＣＨは、拡張されたＰＤＣＣＨと称され得る。データは、データの送信信頼度を改善するために複数回送信されてもよく、データの複数回の送信を伝送するためのＰＤＳＣＨは、拡張されたＰＤＳＣＨと称される。本明細書におけるデータは、ＳＩＢ１、ＳＩ、別のＳＩＢ、ユニキャストデータ、ページングメッセージ、ランダムアクセス応答、または他の共通データを含むが、これらに限定されない。この場合、カバレッジ拡張を必要とするＵＥは、基地局によってノーマルＵＥ（Normal UE）またはレガシーＵＥについて構成されるＣＳＩ−ＲＳ構成およびＣＳＩ−ＲＳサブフレーム構成を知らず、ノーマルＵＥおよびレガシーＵＥは、ともに通常のＵＥ（normal UE）と称される。第１の情報がＭＩＢ、制御情報、またはデータであり得る、第１の情報の拡張された送信が実行される場合であって、第１の情報の拡張された送信が限定されないとき、ＣＳＩ−ＲＳ送信は、第１の情報の拡張された送信と競合して、第１の情報の送信信頼度を低下させ得る。
【０１３９】
本開示のこの実施形態は、ＣＳＩ−ＲＳ送信と第１の情報の拡張された送信との間の競合を回避して、第１の情報の送信信頼度を改善することができる情報送信方法を提供する。
【０１４０】
まず、基地局は、第１の情報の拡張された送信のためのサブフレームを決定する。
【０１４１】
具体的には、どのように基地局が第１の情報の拡張された送信のためのサブフレームを決定するかという方法は、下記の実施形態において詳細に説明され、詳細は、ここでは説明されない。
【０１４２】
Ｓ１０２：基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１４３】
第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢ１を繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０１４４】
第１の情報の拡張された送信のためのサブフレームを決定した後、基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１４５】
異なるタイプの第１の情報に応じて、基地局は、第１の情報の拡張された送信のための決定されたサブフレーム内で、異なる周波数において、第１の情報を複数回繰り返して送信することが、留意されるべきである。第１の情報が、マスタ情報ブロックＭＩＢである場合、少なくとも１つの無線フレーム内でＭＩＢを繰り返して送る回数は、１回よりも多い。または、第１の情報が、システム情報ブロックタイプ１  ＳＩＢ１である場合、少なくとも２つの連続する無線フレーム内でＳＩＢ１を繰り返して送る回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して送る回数は、少なくとも２回である。
【０１４６】
本開示のこの実施形態において提供される情報送信方法によれば、第１の情報の拡張された送信のためのサブフレームが決定され、第１の情報は、第１の情報の拡張された送信のための決定されたサブフレーム内で、複数回繰り返して送信され、ＣＳＩ−ＲＳ送信は、第１の情報の拡張された送信によって占有されるリソースエレメント上でスキップされる。第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢを繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例２】
【０１４７】
本開示のこの実施形態は、情報送信方法を提供する。図２に示されるように、方法は、下記を含む。
【０１４８】
Ｓ２０１：基地局は、第１の情報の拡張された送信のためのサブフレームを決定する。ＦＤＤ（Ｆｒｅｑｕｅｎｃｙ  Ｄｉｖｉｓｉｏｎ  Ｄｕｐｌｅｘ、周波数分割複信）システムの場合、第１の情報の拡張された送信のためのサブフレームは、サブフレーム０、サブフレーム４、サブフレーム５、およびサブフレーム９のうちの１または複数のサブフレームを含む。ＴＤＤ（Ｔｉｍｅ  Ｄｉｖｉｓｉｏｎ  Ｄｕｐｌｅｘ、時分割複信）システムの場合、第１の情報の拡張された送信のためのサブフレームは、サブフレーム０、サブフレーム１、サブフレーム５、およびサブフレーム６のうちの１または複数のサブフレームを含む。
【０１４９】
本開示のこの実施形態は、ＣＳＩ−ＲＳ送信のためのサブフレームと拡張された送信のためのサブフレームとの間の競合を回避して、第１の情報の送信信頼度を改善することができる情報送信方法を提供する。
【０１５０】
まず、基地局は、第１の情報の拡張された送信のためのサブフレームを決定する。
【０１５１】
ＣＳＩ−ＲＳ送信は、セル固有ページング構成において決定されたページングサブフレームおよびＴＤＤの特殊サブフレーム内で実行されることができない。同様に、ＣＳＩ−ＲＳ送信が、ＰＢＣＨ、同期チャネル、またはＳＩＢ１の送信と競合する場合、ＣＳＩ−ＲＳ送信は、ＰＢＣＨ、同期チャネル、またはＳＩＢ１を送信するためのサブフレーム内でも実行されることができない。そのため、ＣＳＩ−ＲＳ送信と第１の情報の拡張された送信との間の競合を回避して、第１の情報の送信信頼度を改善するために、基地局は、第１の情報の拡張された送信のためのサブフレームを前述のサブフレームから決定することを選び得る。
【０１５２】
既存のＬＴＥシステムまたはＬＴＥ−Ａシステムにおいて、時間ドメインリソースは、無線フレームとして分割され、無線フレームは、０から１０２３まで番号を付される。１つの無線フレームは、１０個のサブフレームを含み、１つのサブフレームの時間長は、１ｍｓであり、各無線フレーム内のサブフレームは、０から９まで番号を付される。
【０１５３】
ＦＤＤシステムおよびＴＤＤシステムの場合、ＰＢＣＨは、偶数番号の無線フレームにおけるサブフレーム０内で送信され、ＳＩＢ１は、偶数番号の無線フレームにおけるサブフレーム５内で送信されることが、留意されるべきである。ＴＤＤシステムの場合、サブフレーム１は、間違いなく特殊サブフレームであり、サブフレーム６は、特殊サブフレームであり得る。
【０１５４】
ページングメッセージの場合、ｎＢは、ページングサブフレームを含む無線フレームの期間、および／または、１つの無線フレームに含まれるページングサブフレームの数を決定するために使用されることが、留意されるべきである。ｎＢの値は、４Ｔ、２Ｔ、Ｔ、Ｔ／２、Ｔ／４、Ｔ／８、Ｔ／１６、またはＴ／３２である。本明細書におけるＴは、ユーザ機器の不連続な受信期間である。ｎＢがＴ以上である場合、各無線フレームは、ページングサブフレームを有し、各無線フレームは、ｎＢ／Ｔ個のページングサブフレームを有する。ｎＢがＴ未満である場合、（Ｔ／ｎＢ）個の無線フレームごとに１つの無線フレームが、ページングサブフレームを有し、ページングサブフレームを含む無線フレームは、１つのページングサブフレームのみを有する。
【０１５５】
例示として、ｎＢ＝４Ｔの場合、各無線フレームは、４つのページングサブフレームを含み、または、
ｎＢ＝Ｔ／４の場合、４つの無線フレームごとに１つの無線フレームが、ページングサブフレームを有し、ページングサブフレームを含む無線フレームは、１つのページングサブフレームのみを有する。
【０１５６】
ＦＤＤシステムの場合であって、１つの無線フレームが、１つのページングサブフレームを含むとき、サブフレーム９は、ページングサブフレームであり、１つの無線フレームが、２つのページングサブフレームを含むとき、サブフレーム４およびサブフレーム９は、ページングサブフレームであり、または、１つの無線フレームが、４つのページングサブフレームを含むとき、サブフレーム０、サブフレーム４、サブフレーム５、およびサブフレーム９は、ページングサブフレームであり、
ＴＤＤシステムの場合であって、１つの無線フレームが、１つのページングサブフレームを含むとき、サブフレーム０は、ページングサブフレームであり、１つの無線フレームが、２つのページングサブフレームを含むとき、サブフレーム０およびサブフレーム５は、ページングサブフレームであり、または、１つの無線フレームが、４つのページングサブフレームを含むとき、サブフレーム０、サブフレーム１、サブフレーム５、およびサブフレーム６は、ページングサブフレームである。
【０１５７】
そのため、本開示のこの実施形態は、第１の情報の拡張された送信のためのサブフレームを決定することが、
ＦＤＤシステムの場合、第１の情報の拡張された送信のためのサブフレームが、サブフレーム０、サブフレーム４、サブフレーム５、およびサブフレーム９のうちの１または複数のサブフレームを含み、
ＴＤＤシステムの場合、第１の情報の拡張された送信のためのサブフレームが、サブフレーム０、サブフレーム１、サブフレーム５、およびサブフレーム６のうちの１または複数のサブフレームを含む
ことであり得る、情報送信方法を提供する。
【０１５８】
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０１５９】
第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含むことが、付加的に留意されるべきである。
【０１６０】
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０１６１】
Ｓ２０２：基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１６２】
第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢ１を繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０１６３】
第１の情報の拡張された送信のためのサブフレームを決定した後、基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１６４】
異なるタイプの第１の情報に応じて、基地局は、第１の情報の拡張された送信のための決定されたサブフレーム内で、異なる周波数において、第１の情報を複数回繰り返して送信することが、留意されるべきである。第１の情報が、マスタ情報ブロックＭＩＢである場合、少なくとも１つの無線フレーム内でＭＩＢを繰り返して送る回数は、１回よりも多い。または、第１の情報が、システム情報ブロックタイプ１  ＳＩＢ１である場合、少なくとも２つの連続する無線フレーム内でＳＩＢ１を繰り返して送る回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して送る回数は、少なくとも２回である。
【０１６５】
本開示のこの実施形態において提供される情報送信方法によれば、第１の情報の拡張された送信のためのサブフレームが決定され、第１の情報は、第１の情報の拡張された送信のための決定されたサブフレーム内で、複数回繰り返して送信され、ＣＳＩ−ＲＳ送信は、第１の情報の拡張された送信によって占有されるリソースエレメント上でスキップされる。第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢを繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例３】
【０１６６】
本開示のこの実施形態は、情報送信方法を提供する。図３に示されるように、方法は、下記を含む。
【０１６７】
Ｓ３０１：基地局は、第１の情報の拡張された送信のためのサブフレームを決定する。
【０１６８】
本開示のこの実施形態は、ＣＳＩ−ＲＳ送信と第１の情報の拡張された送信との間の競合を回避して、第１の情報の送信信頼度を改善することができる情報送信方法を提供する。
【０１６９】
まず、基地局は、第１の情報の拡張された送信のためのサブフレームを決定する。
【０１７０】
Ｓ３０２：基地局は、ＣＳＩ−ＲＳ送信によって占有されるリソースエレメントおよびＣＳＩ−ＲＳ送信のためのサブフレームを決定する。
【０１７１】
基地局が、第１の情報の拡張された送信のためのサブフレームを決定した後、基地局は、ＣＳＩ−ＲＳ送信によって占有されるリソースエレメントおよびＣＳＩ−ＲＳ送信のためのサブフレームを決定する必要がある。
【０１７２】
ＣＳＩ−ＲＳ送信によって占有されるリソースエレメントを基地局によって決定する方法は、図４に示される通りであり、具体的には、下記を含む。
【０１７３】
Ｓ４０１：基地局は、予め設定された規則に従って、利用可能なＣＳＩ−ＲＳ構成を決定し、または、基地局は、利用可能なＣＳＩ−ＲＳ構成を設定し、シグナリングを使用することによって、利用可能なＣＳＩ−ＲＳ構成をユーザ機器に通知する。利用可能なＣＳＩ−ＲＳ構成は、１または複数のＣＳＩ−ＲＳ構成を含む。
【０１７４】
基地局が利用可能なＣＳＩ−ＲＳ構成を決定する２つの方法が存在することが、留意されるべきである。システムまたは標準が、利用可能なＣＳＩ−ＲＳ構成を予め設定する場合、基地局は、予め設定された規則に従って、利用可能なＣＳＩ−ＲＳ構成を決定する。システムまたは標準が、利用可能なＣＳＩ−ＲＳ構成を予め設定しない場合、基地局は、利用可能なＣＳＩ−ＲＳ構成を自律的に設定し、シグナリングを使用することによって、設定された利用可能なＣＳＩ−ＲＳ構成をユーザ機器に通知する。
【０１７５】
利用可能なＣＳＩ−ＲＳ構成は、１または複数のＣＳＩ−ＲＳ構成を含む。
【０１７６】
Ｓ４０２：基地局は、利用可能なＣＳＩ−ＲＳ構成に従って、ＣＳＩ−ＲＳ送信によって占有されるリソースエレメントを決定する。
【０１７７】
利用可能なＣＳＩ−ＲＳ構成を決定した後、基地局は、利用可能なＣＳＩ−ＲＳ構成に従って、ＣＳＩ−ＲＳ送信によって占有されるリソースエレメントを決定する。
【０１７８】
ＣＳＩ−ＲＳ送信によって占有されるリソースエレメントを基地局によって決定する、本開示において説明される方法は、下記の実施形態においても適用可能であり、下記の実施形態においては再度説明されない。
【０１７９】
ＣＳＩ−ＲＳ送信のためのサブフレームを基地局によって決定する方法は、図５に示される通りであり、具体的には、下記を含む。
【０１８０】
Ｓ５０１：基地局は、予め設定された規則に従って、利用可能なＣＳＩ−ＲＳサブフレーム構成を決定し、または、基地局は、利用可能なＣＳＩ−ＲＳサブフレーム構成を設定し、シグナリングを使用することによって、利用可能なＣＳＩ−ＲＳサブフレーム構成をユーザ機器に通知する。利用可能なＣＳＩ−ＲＳサブフレーム構成は、１または複数のＣＳＩ−ＲＳサブフレーム構成を含む。
【０１８１】
基地局が利用可能なＣＳＩ−ＲＳサブフレーム構成を決定する２つの方法が存在することが、留意されるべきである。システムまたは標準が、利用可能なＣＳＩ−ＲＳサブフレーム構成を予め設定する場合、基地局は、予め設定された規則に従って、利用可能なＣＳＩ−ＲＳサブフレーム構成を決定する。システムまたは標準が、利用可能なＣＳＩ−ＲＳサブフレーム構成を予め設定しない場合、基地局は、利用可能なＣＳＩ−ＲＳサブフレーム構成を自律的に設定し、シグナリングを使用することによって、設定された利用可能なＣＳＩ−ＲＳサブフレーム構成をユーザ機器に通知する。
【０１８２】
利用可能なＣＳＩ−ＲＳサブフレーム構成は、１または複数のＣＳＩ−ＲＳサブフレーム構成を含む。
【０１８３】
Ｓ５０２：基地局は、利用可能なＣＳＩ−ＲＳサブフレーム構成に従って、ＣＳＩ−ＲＳ送信のためのサブフレームを決定する。
【０１８４】
利用可能なＣＳＩ−ＲＳサブフレーム構成を決定した後、基地局は、利用可能なＣＳＩ−ＲＳサブフレーム構成に従って、ＣＳＩ−ＲＳ送信のためのサブフレームを決定する。
【０１８５】
ＣＳＩ−ＲＳ送信のためのサブフレームを基地局によって決定する、本開示において説明される方法は、下記の実施形態においても適用可能であり、下記の実施形態においては再度説明されない。
【０１８６】
ステップＳ４０１、Ｓ４０２、Ｓ５０１、およびＳ５０２において言及されたシグナリングは、具体的には、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含むことが、留意されるべきである。
【０１８７】
Ｓ３０３：ＣＳＩ−ＲＳ送信のためのサブフレームが、第１の情報の拡張された送信のためのサブフレームと競合する場合、基地局は、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップする。
【０１８８】
基地局が、ＣＳＩ−ＲＳ送信によって占有されるリソースエレメントおよびＣＳＩ−ＲＳ送信のためのサブフレームを決定した後、ＣＳＩ−ＲＳ送信が、第１の情報の拡張された送信のための決定されたサブフレーム内で実行される場合、つまり、ＣＳＩ−ＲＳ送信のためのサブフレームが、第１の情報の拡張された送信のためのサブフレームと競合する場合、基地局は、第１の情報の拡張された送信がＣＳＩ−ＲＳ送信と競合する、決定されたサブフレーム内で、ＣＳＩ−ＲＳ送信によって占有されるリソースエレメント上で第１の情報を繰り返して送信することを複数回実行することをスキップし、それによって、ＣＳＩ−ＲＳ送信と第１の情報の拡張された送信との間の競合を回避する。
【０１８９】
Ｓ３０４：基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１９０】
第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢ１を繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０１９１】
第１の情報の拡張された送信のためのサブフレームを決定した後、基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０１９２】
異なるタイプの第１の情報に応じて、基地局は、第１の情報の拡張された送信のための決定されたサブフレーム内で、異なる周波数において、第１の情報を複数回繰り返して送信することが、留意されるべきである。第１の情報が、マスタ情報ブロックＭＩＢである場合、少なくとも１つの無線フレーム内でＭＩＢを繰り返して送る回数は、１回よりも多い。または、第１の情報が、システム情報ブロックタイプ１  ＳＩＢ１である場合、少なくとも２つの連続する無線フレーム内でＳＩＢ１を繰り返して送る回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して送る回数は、少なくとも２回である。
【０１９３】
本開示のこの実施形態において提供される情報送信方法によれば、第１の情報の拡張された送信のためのサブフレームが決定され、第１の情報は、第１の情報の拡張された送信のための決定されたサブフレーム内で、複数回繰り返して送信され、ＣＳＩ−ＲＳ送信は、第１の情報の拡張された送信によって占有されるリソースエレメント上でスキップされる。第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢを繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例４】
【０１９４】
本開示のこの実施形態は、情報送信方法を提供する。図６に示されるように、方法は、下記を含む。
【０１９５】
Ｓ６０１：基地局は、第１の情報の拡張された送信のためのサブフレームを決定する。
【０１９６】
本開示のこの実施形態は、ＣＳＩ−ＲＳ送信と第１の情報の拡張された送信との間の競合を回避して、第１の情報の送信信頼度を改善することができる情報送信方法を提供する。
【０１９７】
まず、基地局は、第１の情報の拡張された送信のためのサブフレームを決定する。
【０１９８】
Ｓ６０２：基地局は、ＣＳＩ−ＲＳ送信によって占有されるリソースエレメントを決定する。
【０１９９】
基地局が、第１の情報の拡張された送信のためのサブフレームを決定した後、基地局は、ＣＳＩ−ＲＳ送信によって占有されるリソースエレメントを決定する必要がある。
【０２００】
Ｓ６０３：基地局は、第１の情報の拡張された送信のための決定されたサブフレーム内で、ＣＳＩ−ＲＳ送信によって占有されるリソースエレメント上で第１の情報を送信することをスキップする。
【０２０１】
ＣＳＩ−ＲＳ送信によって占有されるリソースエレメントを決定した後、基地局は、第１の情報の拡張された送信のための決定されたサブフレーム内で、ＣＳＩ−ＲＳ送信によって占有されるリソースエレメント上で第１の情報を繰り返して送信することを複数回実行することをスキップし、それによって、ＣＳＩ−ＲＳ送信と第１の情報の拡張された送信との間の競合を回避する。
【０２０２】
Ｓ６０４：基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０２０３】
第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢ１を繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０２０４】
第１の情報の拡張された送信のためのサブフレームを決定した後、基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０２０５】
異なるタイプの第１の情報に応じて、基地局は、第１の情報の拡張された送信のための決定されたサブフレーム内で、異なる周波数において、第１の情報を複数回繰り返して送信することが、留意されるべきである。第１の情報が、マスタ情報ブロックＭＩＢである場合、少なくとも１つの無線フレーム内でＭＩＢを繰り返して送る回数は、１回よりも多い。または、第１の情報が、システム情報ブロックタイプ１  ＳＩＢ１である場合、少なくとも２つの連続する無線フレーム内でＳＩＢ１を繰り返して送る回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して送る回数は、少なくとも２回である。
【０２０６】
本開示のこの実施形態において提供される情報送信方法によれば、第１の情報の拡張された送信のためのサブフレームが決定され、第１の情報は、第１の情報の拡張された送信のための決定されたサブフレーム内で、複数回繰り返して送信され、ＣＳＩ−ＲＳ送信は、第１の情報の拡張された送信によって占有されるリソースエレメント上でスキップされる。第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢを繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例５】
【０２０７】
本開示のこの実施形態は、情報送信方法を提供する。図７に示されるように、方法は、下記を含む。
【０２０８】
Ｓ７０１：基地局は、第１の情報の拡張された送信のためのサブフレームを決定する。
【０２０９】
本開示のこの実施形態は、ＣＳＩ−ＲＳ送信と第１の情報の拡張された送信との間の競合を回避して、第１の情報の送信信頼度を改善することができる情報送信方法を提供する。
【０２１０】
まず、基地局は、第１の情報の拡張された送信のためのサブフレームを決定する。
【０２１１】
Ｓ７０２：基地局は、ＣＳＩ−ＲＳ送信のためのサブフレームを決定する。
【０２１２】
基地局が、第１の情報の拡張された送信のためのサブフレームを決定した後、基地局は、ＣＳＩ−ＲＳ送信のためのサブフレームを決定する必要がある。
【０２１３】
Ｓ７０３：基地局は、ＣＳＩ−ＲＳ送信のためのサブフレーム内で第１の情報を送信することをスキップする。
【０２１４】
ＣＳＩ−ＲＳ送信のためのサブフレームを決定した後、基地局は、ＣＳＩ−ＲＳ送信のためのサブフレーム内で、第１の情報を繰り返して送信することを、複数回実行することをスキップし、それによって、ＣＳＩ−ＲＳ送信と第１の情報の拡張された送信との間の競合を回避する。
【０２１５】
Ｓ７０４：基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０２１６】
第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢ１を繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０２１７】
第１の情報の拡張された送信のためのサブフレームを決定した後、基地局は、第１の情報の拡張された送信のための決定されたサブフレーム内で、第１の情報を複数回繰り返して送信し、第１の情報の拡張された送信によって占有されるリソースエレメント上でのチャネル状態情報−リファレンス信号ＣＳＩ−ＲＳ送信をスキップする。
【０２１８】
異なるタイプの第１の情報に応じて、基地局は、第１の情報の拡張された送信のための決定されたサブフレーム内で、異なる周波数において、第１の情報を複数回繰り返して送信することが、留意されるべきである。第１の情報が、マスタ情報ブロックＭＩＢである場合、少なくとも１つの無線フレーム内でＭＩＢを繰り返して送る回数は、１回よりも多い。または、第１の情報が、システム情報ブロックタイプ１  ＳＩＢ１である場合、少なくとも２つの連続する無線フレーム内でＳＩＢ１を繰り返して送る回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して送る回数は、少なくとも２回である。
【０２１９】
本開示のこの実施形態において提供される情報送信方法によれば、第１の情報の拡張された送信のためのサブフレームが決定され、第１の情報は、第１の情報の拡張された送信のための決定されたサブフレーム内で、複数回繰り返して送信され、ＣＳＩ−ＲＳ送信は、第１の情報の拡張された送信によって占有されるリソースエレメント上でスキップされる。第１の情報は、マスタ情報ブロックＭＩＢであり、少なくとも１つの無線フレーム内でＭＩＢを繰り返して送信する回数は、１回よりも多い。または、第１の情報は、システム情報ブロックタイプ１  ＳＩＢ１であり、少なくとも２つの連続する無線フレーム内でＳＩＢを繰り返して送信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例６】
【０２２０】
本開示のこの実施形態は、別の情報送信方法を提供する。図８に示されるように、方法は、下記を含む。
【０２２１】
Ｓ８０１：ユーザ機器は、第１の情報の拡張された送信のためのサブフレームを決定する。
【０２２２】
ユーザ機器が地下に存在する場合またはチャネル品質が低い場合に、ユーザ機器が基地局と確実に通信することができることを確保するために、カバレッジ拡張が、ＬＴＥネットワークのカバレッジに対して実行される必要がある。既存のＬＴＥシステムまたはＬＴＥ−Ａシステムにおいて、ＭＩＢの１回の送信を伝送するためのＰＢＣＨ、ＳＩＢ１の１回の送信をスケジューリングするためのＰＤＣＣＨ、ＳＩＢ１の１回の送信を伝送するためのＰＤＳＣＨ、ＳＩの１回の送信をスケジューリングするためのＰＤＣＣＨ、およびＳＩの１回の送信を伝送するためのＰＤＳＣＨは全て、１つのサブフレーム内で送信される。既存のＬＴＥシステムまたはＬＴＥ−Ａシステムにおいて、ユーザ機器は、ＣＳＩ−ＲＳを使用することによってチャネル測定を実行し得る。ユーザ機器が、どのサブフレーム内でＣＳＩ−ＲＳが送信されるかを学習し、ＣＳＩ−ＲＳの構成も学習するように、基地局は、専用シグナリングを使用することによって、ユーザ機器についてのＣＳＩ−ＲＳ構成およびＣＳＩ−ＲＳサブフレーム構成を実行する。
【０２２３】
カバレッジ拡張の場合、ＭＩＢ情報は、ＭＩＢの送信信頼度を改善するために複数回送信されてもよく、ＭＩＢの複数回の送信を伝送するためのＰＢＣＨは、拡張されたＰＢＣＨと称され得る。同様に、制御情報は、制御情報の送信信頼度を改善するために複数回送信されてもよく、制御情報の複数回の送信を伝送するためのＰＤＣＣＨは、拡張されたＰＤＣＣＨと称され得る。データは、データの送信信頼度を改善するために複数回送信されてもよく、データの複数回の送信を伝送するためのＰＤＳＣＨは、拡張されたＰＤＳＣＨと称される。本明細書におけるデータは、ＳＩＢ１、ＳＩ、別のＳＩＢ、ユニキャストデータ、ページングメッセージ、ランダムアクセス応答、または他の共通データを含むが、これらに限定されない。この場合、カバレッジ拡張を必要とするＵＥは、基地局によってノーマルＵＥまたはレガシーＵＥについて構成されるＣＳＩ−ＲＳ構成およびＣＳＩ−ＲＳサブフレーム構成を知らず、ノーマルＵＥおよびレガシーＵＥは、ともに通常のＵＥと称される。第１の情報がＭＩＢ、制御情報、またはデータであり得る、第１の情報の拡張された送信が実行される場合において、第１の情報の拡張された送信が限定されないとき、ＣＳＩ−ＲＳ送信は、第１の情報の拡張された送信と競合して、第１の情報の送信信頼度を低下させ得る。
【０２２４】
本開示のこの実施形態は、ＣＳＩ−ＲＳ送信と第１の情報の拡張された送信との間の競合を回避して、第１の情報の送信信頼度を改善することができる情報送信方法を提供する。
【０２２５】
まず、ユーザ機器は、第１の情報の拡張された送信のためのサブフレームを決定する。
【０２２６】
具体的には、どのようにユーザ機器が第１の情報の拡張された送信のためのサブフレームを決定するかという方法は、下記の実施形態において詳細に説明され、詳細は、ここでは説明されない。
【０２２７】
Ｓ８０２：ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０２２８】
第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢ１を受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０２２９】
第１の情報の拡張された送信のためのサブフレームを決定した後、ユーザ機器は、第１の情報の拡張された送信のための決定されたサブフレーム内で、複数回繰り返して送信される第１の情報を受信し、受信された第１の情報によって占有されるリソースエレメント上でのＣＳＩ−ＲＳ送信をスキップする。
【０２３０】
異なるタイプの第１の情報に応じて、ユーザ機器は、第１の情報の拡張された送信のための決定されたサブフレーム内で、異なる周波数において、複数回繰り返して送信される第１の情報を受信することが、留意されるべきである。第１の情報が、ＭＩＢである場合、少なくとも１つの無線フレーム内でＭＩＢを繰り返して受信する回数は、１回よりも多い。または、第１の情報が、ＳＩＢ１である場合、少なくとも２つの連続する無線フレーム内でＳＩＢ１を繰り返して受信する回数は、１回よりも多い。または、第１の情報が、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報である場合、第１の情報の拡張された送信のための決定されたサブフレーム内で、第１の情報を繰り返して受信する回数は、少なくとも２回である。
【０２３１】
本開示のこの実施形態において提供される情報送信方法によれば、ユーザ機器が、第１の情報の拡張された送信のための決定されたサブフレーム内で、複数回繰り返して送信される第１の情報を受信した後、ユーザ機器は、複数回繰り返して送信される受信された第１の情報をさらに結合し、結合された第１の情報を検出することができることが、留意されるべきである。
【０２３２】
本開示のこの実施形態において提供される情報送信方法によれば、第１の情報の拡張された送信のためのサブフレームが決定され、複数回繰り返して送信される第１の情報は、第１の情報の拡張された送信のための決定されたサブフレーム内で受信され、ＣＳＩ−ＲＳ送信は、複数回繰り返して送信される第１の情報によって占有されるリソースエレメント上でスキップされる。第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢを受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例７】
【０２３３】
本開示のこの実施形態は、別の情報送信方法を提供する。図９に示されるように、方法は、下記を含む。
【０２３４】
Ｓ９０１：ユーザ機器は、第１の情報の拡張された送信のためのサブフレームを決定する。ＦＤＤシステムの場合、第１の情報の拡張された送信のためのサブフレームは、サブフレーム０、サブフレーム４、サブフレーム５、およびサブフレーム９のうちの１または複数のサブフレームを含む。また、ＴＤＤシステムの場合、第１の情報の拡張された送信のためのサブフレームは、サブフレーム０、サブフレーム１、サブフレーム５、およびサブフレーム６のうちの１または複数のサブフレームを含む。
【０２３５】
本開示のこの実施形態は、ＣＳＩ−ＲＳ送信のためのサブフレームと拡張された送信のためのサブフレームとの間の競合を回避して、第１の情報の送信信頼度を改善することができる情報送信方法を提供する。
【０２３６】
まず、ユーザ機器は、第１の情報の拡張された送信のためのサブフレームを決定する。
【０２３７】
ＣＳＩ−ＲＳ送信は、セル固有ページング構成において決定されたページングサブフレームおよびＴＤＤの特殊サブフレーム内で実行されることができない。同様に、ＣＳＩ−ＲＳ送信が、ＰＢＣＨ、同期チャネル、またはＳＩＢ１の送信と競合する場合、ＣＳＩ−ＲＳ送信は、ＰＢＣＨ、同期チャネル、またはＳＩＢ１を送信するためのサブフレーム内でも実行されることができない。そのため、ＣＳＩ−ＲＳ送信と第１の情報の拡張された送信との間の競合を回避して、第１の情報の送信信頼度を改善するために、ユーザ機器は、第１の情報の拡張された送信のためのサブフレームを前述のサブフレームから決定することを選び得る。
【０２３８】
既存のＬＴＥシステムまたはＬＴＥ−Ａシステムにおいて、時間ドメインリソースは、無線フレームとして分割され、無線フレームは、０から１０２３まで番号を付される。１つの無線フレームは、１０個のサブフレームを含み、１つのサブフレームの時間長は、１ｍｓであり、各無線フレーム内のサブフレームは、０から９まで番号を付される。
【０２３９】
ＦＤＤシステムおよびＴＤＤシステムの場合、ＰＢＣＨは、偶数番号の無線フレームにおけるサブフレーム０内で送信され、ＳＩＢ１は、偶数番号の無線フレームにおけるサブフレーム５内で送信されることが、留意されるべきである。また、ＴＤＤシステムの場合、サブフレーム１は、間違いなく特殊サブフレームであり、サブフレーム６は、特殊サブフレームであり得る。
【０２４０】
ページングメッセージの場合、ｎＢは、ページングサブフレームを含む無線フレームの期間、および／または、１つの無線フレームに含まれるページングサブフレームの数を決定するために使用されることが、留意されるべきである。ｎＢの値は、４Ｔ、２Ｔ、Ｔ、Ｔ／２、Ｔ／４、Ｔ／８、Ｔ／１６、またはＴ／３２である。本明細書におけるＴは、ユーザ機器の不連続な受信期間である。ｎＢがＴ以上である場合、各無線フレームは、ページングサブフレームを有し、各無線フレームは、ｎＢ／Ｔ個のページングサブフレームを有する。ｎＢがＴ未満である場合、（Ｔ／ｎＢ）個の無線フレームごとに１つの無線フレームが、ページングサブフレームを有し、ページングサブフレームを含む無線フレームは、１つのページングサブフレームのみを有する。
【０２４１】
例示として、ｎＢ＝４Ｔの場合、各無線フレームは、４つのページングサブフレームを含み、または、
ｎＢ＝Ｔ／４の場合、４つの無線フレームごとに１つの無線フレームが、ページングサブフレームを有し、ページングサブフレームを含む無線フレームは、１つのページングサブフレームのみを有する。
【０２４２】
ＦＤＤシステムの場合であって、１つの無線フレームが、１つのページングサブフレームを含むとき、サブフレーム９は、ページングサブフレームであり、１つの無線フレームが、２つのページングサブフレームを含むとき、サブフレーム４およびサブフレーム９は、ページングサブフレームであり、または、１つの無線フレームが、４つのページングサブフレームを含むとき、サブフレーム０、サブフレーム４、サブフレーム５、およびサブフレーム９は、ページングサブフレームであり、
ＴＤＤシステムの場合であって、１つの無線フレームが、１つのページングサブフレームを含むとき、サブフレーム０は、ページングサブフレームであり、１つの無線フレームが、２つのページングサブフレームを含むとき、サブフレーム０およびサブフレーム５は、ページングサブフレームであり、または、１つの無線フレームが、４つのページングサブフレームを含むとき、サブフレーム０、サブフレーム１、サブフレーム５、およびサブフレーム６は、ページングサブフレームである。
【０２４３】
そのため、本開示のこの実施形態は、第１の情報の拡張された送信のためのサブフレームを決定することが、
ＦＤＤシステムの場合、第１の情報の拡張された送信のためのサブフレームが、サブフレーム０、サブフレーム４、サブフレーム５、およびサブフレーム９のうちの１または複数のサブフレームを含み、
ＴＤＤシステムの場合、第１の情報の拡張された送信のためのサブフレームが、サブフレーム０、サブフレーム１、サブフレーム５、およびサブフレーム６のうちの１または複数のサブフレームを含む
ことであり得る、情報送信方法を提供する。
【０２４４】
ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０２４５】
第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含むことが、付加的に留意されるべきである。
【０２４６】
ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０２４７】
Ｓ９０２：ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０２４８】
第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢ１を受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０２４９】
第１の情報の拡張された送信のためのサブフレームを決定した後、ユーザ機器は、第１の情報の拡張された送信のための決定されたサブフレーム内で、複数回繰り返して送信される第１の情報を受信し、受信された第１の情報によって占有されるリソースエレメント上でのＣＳＩ−ＲＳ送信をスキップする。
【０２５０】
異なるタイプの第１の情報に応じて、ユーザ機器は、第１の情報の拡張された送信のための決定されたサブフレーム内で、異なる周波数において、複数回繰り返して送信される第１の情報を受信することが、留意されるべきである。第１の情報が、ＭＩＢである場合、少なくとも１つの無線フレーム内でＭＩＢを繰り返して受信する回数は、１回よりも多い。または、第１の情報が、ＳＩＢ１である場合、少なくとも２つの連続する無線フレーム内でＳＩＢ１を繰り返して受信する回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して受信する回数は、少なくとも２回である。
【０２５１】
本開示のこの実施形態において提供される情報送信方法によれば、ユーザ機器が、第１の情報の拡張された送信のための決定されたサブフレーム内で、複数回繰り返して送信される第１の情報を受信した後、ユーザ機器は、複数回繰り返して送信される受信された第１の情報をさらに結合および検出して、第１の情報の検出信頼度を改善することができることが、留意されるべきである。
【０２５２】
本開示のこの実施形態において提供される情報送信方法によれば、第１の情報の拡張された送信のためのサブフレームが決定され、複数回繰り返して送信される第１の情報は、第１の情報の拡張された送信のための決定されたサブフレーム内で受信され、ＣＳＩ−ＲＳ送信は、複数回繰り返して送信される第１の情報によって占有されるリソースエレメント上でスキップされる。第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢを受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例８】
【０２５３】
本開示のこの実施形態は、別の情報送信方法を提供する。図１０に示されるように、方法は、下記を含む。
【０２５４】
Ｓ１００１：ユーザ機器は、第１の情報の拡張された送信のためのサブフレームを決定する。
【０２５５】
本開示のこの実施形態は、ＣＳＩ−ＲＳ送信と第１の情報の拡張された送信との間の競合を回避して、第１の情報の送信信頼度を改善することができる情報送信方法を提供する。
【０２５６】
まず、ユーザ機器は、第１の情報の拡張された送信のためのサブフレームを決定する。
【０２５７】
Ｓ１００２：ユーザ機器は、ＣＳＩ−ＲＳ送信によって占有されるリソースエレメントおよびＣＳＩ−ＲＳ送信のためのサブフレームを決定する。
【０２５８】
ユーザ機器が、第１の情報の拡張された送信のためのサブフレームを決定した後、ユーザ機器は、ＣＳＩ−ＲＳ送信によって占有されるリソースエレメントおよびＣＳＩ−ＲＳ送信のためのサブフレームを決定する必要がある。
【０２５９】
ＣＳＩ−ＲＳ送信によって占有されるリソースエレメントをユーザ機器によって決定することは、図１１に示され、具体的には、下記を含む。
【０２６０】
Ｓ１１０１：ユーザ機器は、予め設定された規則に従って、利用可能なＣＳＩ−ＲＳ構成を決定し、または基地局からシグナリングを受信する。シグナリングは、利用可能なＣＳＩ−ＲＳ構成を通知するために使用される。利用可能なＣＳＩ−ＲＳ構成は、１または複数のＣＳＩ−ＲＳ構成を含む。
【０２６１】
ユーザ機器が利用可能なＣＳＩ−ＲＳ構成を決定する２つの方法が存在することが、留意されるべきである。システムまたは標準が、利用可能なＣＳＩ−ＲＳ構成を予め設定する場合、ユーザ機器は、予め設定された規則に従って、利用可能なＣＳＩ−ＲＳ構成を決定する。システムまたは標準が、利用可能なＣＳＩ−ＲＳ構成を予め設定しない場合、ユーザ機器は、基地局からのシグナリングを受信する。シグナリングは、利用可能なＣＳＩ−ＲＳ構成を通知するために使用される。
【０２６２】
利用可能なＣＳＩ−ＲＳ構成は、１または複数のＣＳＩ−ＲＳ構成を含む。
【０２６３】
Ｓ１１０２：ユーザ機器は、利用可能なＣＳＩ−ＲＳ構成に従って、ＣＳＩ−ＲＳ送信によって占有されるリソースエレメントを決定する。
【０２６４】
利用可能なＣＳＩ−ＲＳ構成を決定した後、ユーザ機器は、利用可能なＣＳＩ−ＲＳ構成に従って、ＣＳＩ−ＲＳ送信によって占有されるリソースエレメントを決定する。
【０２６５】
ＣＳＩ−ＲＳ送信によって占有されるリソースエレメントをユーザ機器によって決定する、本開示において説明される方法は、下記の実施形態においても適用可能であり、下記の実施形態においては再度説明されない。
【０２６６】
ＣＳＩ−ＲＳ送信のためのサブフレームをユーザ機器によって決定することは、図１２に示される通りであり、具体的には、下記を含む。
【０２６７】
Ｓ１２０１：ユーザ機器は、予め設定された規則に従って、利用可能なＣＳＩ−ＲＳサブフレーム構成を決定し、または基地局からシグナリングを受信する。シグナリングは、利用可能なＣＳＩ−ＲＳサブフレーム構成を通知するために使用される。利用可能なＣＳＩ−ＲＳサブフレーム構成は、１または複数のＣＳＩ−ＲＳサブフレーム構成を含む。
【０２６８】
ユーザ機器が利用可能なＣＳＩ−ＲＳサブフレーム構成を決定する２つの方法が存在することが、留意されるべきである。システムまたは標準が、利用可能なＣＳＩ−ＲＳサブフレーム構成を予め設定する場合、ユーザ機器は、予め設定された規則に従って、利用可能なＣＳＩ−ＲＳサブフレーム構成を決定する。システムまたは標準が、利用可能なＣＳＩ−ＲＳサブフレーム構成を予め設定しない場合、ユーザ機器は、基地局からのシグナリングを受信する。シグナリングは、利用可能なＣＳＩ−ＲＳサブフレーム構成を通知するために使用される。
【０２６９】
利用可能なＣＳＩ−ＲＳサブフレーム構成は、１または複数のＣＳＩ−ＲＳサブフレーム構成を含む。
【０２７０】
Ｓ１２０２：ユーザ機器は、利用可能なＣＳＩ−ＲＳサブフレーム構成に従って、ＣＳＩ−ＲＳ送信のためのサブフレームを決定する。
【０２７１】
利用可能なＣＳＩ−ＲＳサブフレーム構成を決定した後、ユーザ機器は、利用可能なＣＳＩ−ＲＳサブフレーム構成に従って、ＣＳＩ−ＲＳ送信のためのサブフレームを決定する。
【０２７２】
ＣＳＩ−ＲＳ送信のためのサブフレームをユーザ機器によって決定する、本開示において説明される方法は、下記の実施形態においても適用可能であり、下記の実施形態においては再度説明されない。
【０２７３】
ステップＳ１１０１、Ｓ１１０２、Ｓ１２０１、およびＳ１２０２において言及されたシグナリングは、具体的には、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含むことが、留意されるべきである。
【０２７４】
Ｓ１００３：ＣＳＩ−ＲＳ送信のためのサブフレームが、第１の情報の拡張された送信のためのサブフレームと競合する場合、ユーザ機器は、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップする。
【０２７５】
ユーザ機器が、ＣＳＩ−ＲＳ送信によって占有されるリソースエレメントおよびＣＳＩ−ＲＳ送信のためのサブフレームを決定した後、ＣＳＩ−ＲＳ送信が、第１の情報の拡張された送信のための決定されたサブフレーム内で実行される場合、ユーザ機器は、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップし、それによって、ＣＳＩ−ＲＳ送信と第１の情報の拡張された送信との間の競合を回避する。
【０２７６】
Ｓ１００４：ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０２７７】
第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢ１を受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０２７８】
第１の情報の拡張された送信のためのサブフレームを決定した後、ユーザ機器は、第１の情報の拡張された送信のための決定されたサブフレーム内で、複数回繰り返して送信される第１の情報を受信し、受信された第１の情報によって占有されるリソースエレメント上でのＣＳＩ−ＲＳ送信をスキップする。
【０２７９】
異なるタイプの第１の情報に応じて、ユーザ機器は、第１の情報の拡張された送信のための決定されたサブフレーム内で、異なる周波数において、複数回繰り返して送信される第１の情報を受信することが、留意されるべきである。第１の情報が、ＭＩＢである場合、少なくとも１つの無線フレーム内でＭＩＢを繰り返して受信する回数は、１回よりも多い。または、第１の情報が、ＳＩＢ１である場合、少なくとも２つの連続する無線フレーム内でＳＩＢ１を繰り返して受信する回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して受信する回数は、少なくとも２回である。
【０２８０】
本開示のこの実施形態において提供される情報送信方法によれば、ユーザ機器が、第１の情報の拡張された送信のための決定されたサブフレーム内で、複数回繰り返して送信される第１の情報を受信した後、ユーザ機器は、複数回繰り返して送信される受信された第１の情報をさらに結合し、結合された第１の情報を検出することができることが、留意されるべきである。
【０２８１】
本開示のこの実施形態において提供される情報送信方法によれば、第１の情報の拡張された送信のためのサブフレームが決定され、複数回繰り返して送信される第１の情報は、第１の情報の拡張された送信のための決定されたサブフレーム内で受信され、ＣＳＩ−ＲＳ送信は、複数回繰り返して送信される第１の情報によって占有されるリソースエレメント上でスキップされる。第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢを受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例９】
【０２８２】
本開示のこの実施形態は、別の情報送信方法を提供する。図１３に示されるように、方法は、下記を含む。
【０２８３】
Ｓ１３０１：ユーザ機器は、第１の情報の拡張された送信のためのサブフレームを決定する。
【０２８４】
本開示のこの実施形態は、ＣＳＩ−ＲＳ送信と第１の情報の拡張された送信との間の競合を回避して、第１の情報の送信信頼度を改善することができる情報送信方法を提供する。
【０２８５】
まず、ユーザ機器は、第１の情報の拡張された送信のためのサブフレームを決定する。
【０２８６】
Ｓ１３０２：ユーザ機器は、ＣＳＩ−ＲＳ送信によって占有されるリソースエレメントを決定する。
【０２８７】
ユーザ機器が、第１の情報の拡張された送信のためのサブフレームを決定した後、ユーザ機器は、ＣＳＩ−ＲＳ送信によって占有されるリソースエレメントを決定する必要がある。
【０２８８】
Ｓ１３０３：ユーザ機器は、第１の情報の拡張された送信のための決定されたサブフレーム内で、ＣＳＩ−ＲＳ送信によって占有されるリソースエレメント上で第１の情報を受信することをスキップする。
【０２８９】
ＣＳＩ−ＲＳ送信によって占有されるリソースエレメントを決定した後、ユーザ機器は、第１の情報の拡張された送信のための決定されたサブフレーム内で、ＣＳＩ−ＲＳ送信によって占有されるリソースエレメント上で第１の情報を受信することをスキップし、それによって、ＣＳＩ−ＲＳ送信と第１の情報の拡張された送信との間の競合を回避する。
【０２９０】
Ｓ１３０４：ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０２９１】
第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢ１を受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０２９２】
第１の情報の拡張された送信のためのサブフレームを決定した後、ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０２９３】
異なるタイプの第１の情報に応じて、ユーザ機器は、第１の情報の拡張された送信のための決定されたサブフレーム内で、異なる周波数において、複数回繰り返して送信される第１の情報を受信することが、留意されるべきである。第１の情報が、ＭＩＢである場合、少なくとも１つの無線フレーム内でＭＩＢを繰り返して受信する回数は、１回よりも多い。または、第１の情報が、ＳＩＢ１である場合、少なくとも２つの連続する無線フレーム内でＳＩＢ１を繰り返して受信する回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して受信する回数は、少なくとも２回である。
【０２９４】
本開示のこの実施形態において提供される情報送信方法によれば、ユーザ機器が、第１の情報の拡張された送信のための決定されたサブフレーム内で、複数回繰り返して送信される第１の情報を受信した後、ユーザ機器は、複数回繰り返して送信される受信された第１の情報をさらに結合し、結合された第１の情報を検出することができることが、留意されるべきである。
【０２９５】
本開示のこの実施形態において提供される情報送信方法によれば、第１の情報の拡張された送信のためのサブフレームが決定され、複数回繰り返して送信される第１の情報は、第１の情報の拡張された送信のための決定されたサブフレーム内で受信され、ＣＳＩ−ＲＳ送信は、複数回繰り返して送信される第１の情報によって占有されるリソースエレメント上でスキップされる。第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢを受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例１０】
【０２９６】
本開示のこの実施形態は、別の情報送信方法を提供する。図１４に示されるように、方法は、下記を含む。
【０２９７】
Ｓ１４０１：ユーザ機器は、第１の情報の拡張された送信のためのサブフレームを決定する。
【０２９８】
本開示のこの実施形態は、ＣＳＩ−ＲＳ送信と第１の情報の拡張された送信との間の競合を回避して、第１の情報の送信信頼度を改善することができる情報送信方法を提供する。
【０２９９】
まず、ユーザ機器は、第１の情報の拡張された送信のためのサブフレームを決定する。
【０３００】
Ｓ１４０２：ユーザ機器は、ＣＳＩ−ＲＳ送信のためのサブフレームを決定する。
【０３０１】
ユーザ機器が、第１の情報の拡張された送信のためのサブフレームを決定した後、ユーザ機器は、ＣＳＩ−ＲＳ送信のためのサブフレームを決定する必要がある。
【０３０２】
Ｓ１４０３：ユーザ機器は、ＣＳＩ−ＲＳ送信のためのサブフレーム内で第１の情報を受信することをスキップする。
【０３０３】
ＣＳＩ−ＲＳ送信のためのサブフレームを決定した後、ユーザ機器は、ＣＳＩ−ＲＳ送信のためのサブフレーム内で第１の情報を受信することをスキップし、それによって、ＣＳＩ−ＲＳ送信と第１の情報の拡張された送信との間の競合を回避する。
【０３０４】
Ｓ１４０４：ユーザ機器は、第１の情報の拡張された送信のための決定されたサブフレーム内で、複数回繰り返して送信される第１の情報を受信し、複数回繰り返して送信される受信された第１の情報によって占有されるリソースエレメント上でのＣＳＩ−ＲＳ送信をスキップする。
【０３０５】
第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢ１を受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０３０６】
第１の情報の拡張された送信のためのサブフレームを決定した後、ユーザ機器は、第１の情報の拡張された送信のための決定されたサブフレーム内で、複数回繰り返して送信される第１の情報を受信し、受信された第１の情報によって占有されるリソースエレメント上でのＣＳＩ−ＲＳ送信をスキップする。
【０３０７】
異なるタイプの第１の情報に応じて、ユーザ機器は、第１の情報の拡張された送信のための決定されたサブフレーム内で、異なる周波数において、複数回繰り返して送信される第１の情報を受信することが、留意されるべきである。第１の情報が、ＭＩＢである場合、少なくとも１つの無線フレーム内でＭＩＢを繰り返して受信する回数は、１回よりも多い。または、第１の情報が、ＳＩＢ１である場合、少なくとも２つの連続する無線フレーム内でＳＩＢ１を繰り返して受信する回数は、１回よりも多い。または、第１の情報が、システム情報、ユニキャストデータ、ページングメッセージ、ランダムアクセス応答ＲＡＲ、ランダムアクセスコンテンション解決メッセージ、もしくはＭＩＢおよびＳＩＢ１を除く制御情報である場合、第１の情報の拡張された送信のための決定されたサブフレーム内で、第１の情報を繰り返して受信する回数は、少なくとも２回である。
【０３０８】
本開示のこの実施形態において提供される情報送信方法によれば、ユーザ機器が、第１の情報の拡張された送信のための決定されたサブフレーム内で、複数回繰り返して送信される第１の情報を受信した後、ユーザ機器は、複数回繰り返して送信される受信された第１の情報をさらに結合し、結合された第１の情報を検出することができることが、留意されるべきである。
【０３０９】
本開示のこの実施形態において提供される情報送信方法によれば、第１の情報の拡張された送信のためのサブフレームが決定され、複数回繰り返して送信される第１の情報は、第１の情報の拡張された送信のための決定されたサブフレーム内で受信され、ＣＳＩ−ＲＳ送信は、複数回繰り返して送信される第１の情報によって占有されるリソースエレメント上でスキップされる。第１の情報は、ＭＩＢであり、少なくとも１つの無線フレーム内で、繰り返して送信されるＭＩＢを受信する回数は、１回よりも多い。または、第１の情報は、ＳＩＢ１であり、少なくとも２つの連続する無線フレーム内で、繰り返して送信されるＳＩＢを受信する回数は、１回よりも多い。または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例１１】
【０３１０】
本開示のこの実施形態は、情報送信装置１を提供する。図１５に示されるように、装置は、
第１の情報の拡張された送信のためのサブフレームを決定するように構成された決定モジュール１０と、
第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信モジュール１１と
を含み、
第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０３１１】
さらに、ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【０３１２】
さらに、ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０３１３】
さらに、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【０３１４】
さらに、ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０３１５】
さらに、決定モジュール１０は、ＣＳＩ−ＲＳ送信によって占有されるリソースエレメントおよびＣＳＩ−ＲＳ送信のためのサブフレームを決定するようにさらに構成され、
送信モジュール１１は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップするようにさらに構成される。
【０３１６】
さらに、決定モジュール１０は、ＣＳＩ−ＲＳ送信によって占有されるリソースエレメントを決定するようにさらに構成され、
送信モジュール１１は、第１の情報の拡張された送信のための決定されたサブフレーム内で、ＣＳＩ−ＲＳ送信によって占有されるリソースエレメント上で第１の情報を送信することをスキップするようにさらに構成される。
【０３１７】
さらに、決定モジュール１０は、ＣＳＩ−ＲＳ送信のためのサブフレームを決定するようにさらに構成され、
送信モジュール１１は、ＣＳＩ−ＲＳ送信のためのサブフレーム内で第１の情報を送信することをスキップするようにさらに構成される。
【０３１８】
さらに、決定モジュール１０は、具体的には、予め設定された規則に従って、利用可能なＣＳＩ−ＲＳ構成を決定し、または利用可能なＣＳＩ−ＲＳ構成を設定するように構成され、利用可能なＣＳＩ−ＲＳ構成は、１または複数のＣＳＩ−ＲＳ構成を含み、
決定モジュール１０は、具体的には、利用可能なＣＳＩ−ＲＳ構成に従って、ＣＳＩ−ＲＳ送信によって占有されるリソースエレメントを決定するように構成され、
図１６に示されるように、情報送信装置は、
シグナリングを使用することによって、利用可能なＣＳＩ−ＲＳ構成をユーザ機器に通知するように構成された通知モジュール１２
をさらに含む。
【０３１９】
さらに、決定モジュール１０は、具体的には、予め設定された規則に従って、利用可能なＣＳＩ−ＲＳサブフレーム構成を決定し、または利用可能なＣＳＩ−ＲＳサブフレーム構成を設定するように構成され、利用可能なＣＳＩ−ＲＳサブフレーム構成は、１または複数のＣＳＩ−ＲＳサブフレーム構成を含み、
決定モジュール１０は、具体的には、利用可能なＣＳＩ−ＲＳサブフレーム構成に従って、ＣＳＩ−ＲＳ送信のためのサブフレームを決定するように構成され、
通知モジュール１２は、シグナリングを使用することによって、利用可能なＣＳＩ−ＲＳサブフレーム構成をユーザ機器に通知するようにさらに構成される。
【０３２０】
さらに、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【０３２１】
本開示のこの実施形態において提供される情報送信装置は、第１の情報の拡張された送信のためのサブフレームを決定するように構成された決定モジュールと、第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信モジュールとを含み、第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例１２】
【０３２２】
本開示のこの実施形態は、別の情報送信装置２を提供する。図１７に示されるように、装置は、
第１の情報の拡張された送信のためのサブフレームを決定するように構成された決定ユニット２０と、
第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信ユニット２１と
を含み、
第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０３２３】
さらに、ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【０３２４】
さらに、ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０３２５】
さらに、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【０３２６】
さらに、ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０３２７】
さらに、決定ユニット２０は、ＣＳＩ−ＲＳ送信によって占有されるリソースエレメントおよびＣＳＩ−ＲＳ送信のためのサブフレームを決定するようにさらに構成され、
受信ユニット２１は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップするようにさらに構成される。
【０３２８】
さらに、決定ユニット２０は、ＣＳＩ−ＲＳ送信によって占有されるリソースエレメントを決定するようにさらに構成され、
受信ユニット２１は、第１の情報の拡張された送信のための決定されたサブフレーム内で、ＣＳＩ−ＲＳ送信によって占有されるリソースエレメント上で第１の情報を受信することをスキップするようにさらに構成される。
【０３２９】
さらに、決定ユニット２０は、ＣＳＩ−ＲＳ送信のためのサブフレームを決定するようにさらに構成され、
受信ユニット２１は、ＣＳＩ−ＲＳ送信のためのサブフレーム内で第１の情報を受信することをスキップするようにさらに構成される。
【０３３０】
さらに、決定ユニット２０は、具体的には、予め設定された規則に従って、利用可能なＣＳＩ−ＲＳ構成を決定するように構成され、利用可能なＣＳＩ−ＲＳ構成は、１または複数のＣＳＩ−ＲＳ構成を含み、
受信ユニット２１は、基地局からシグナリングを受信するようにさらに構成され、シグナリングは、利用可能なＣＳＩ−ＲＳ構成を通知するために使用され、
決定ユニット２０は、利用可能なＣＳＩ−ＲＳ構成に従って、ＣＳＩ−ＲＳ送信によって占有されるリソースエレメントを決定するようにさらに構成される。
【０３３１】
さらに、決定ユニット２０は、具体的には、予め設定された規則に従って、利用可能なＣＳＩ−ＲＳサブフレーム構成を決定するように構成され、利用可能なＣＳＩ−ＲＳサブフレーム構成は、１または複数のＣＳＩ−ＲＳサブフレーム構成を含み、
受信ユニット２１は、基地局からシグナリングを受信するようにさらに構成され、シグナリングは、利用可能なＣＳＩ−ＲＳサブフレーム構成を通知するために使用され、
決定ユニット２０は、利用可能なＣＳＩ−ＲＳサブフレーム構成に従って、ＣＳＩ−ＲＳ送信のためのサブフレームを決定するようにさらに構成される。
【０３３２】
さらに、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【０３３３】
本開示のこの実施形態において提供される情報送信装置は、第１の情報の拡張された送信のためのサブフレームを決定するように構成された決定ユニットと、第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信ユニットとを含み、第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例１３】
【０３３４】
本開示のこの実施形態は、ネットワークデバイス３を提供する。図１８に示されるように、デバイスは、
第１の情報の拡張された送信のためのサブフレームを決定するように構成されたプロセッサ３０と、
第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信器３１と
を含み、
第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。
【０３３５】
さらに、ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【０３３６】
さらに、ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０３３７】
さらに、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【０３３８】
さらに、ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０３３９】
さらに、プロセッサ３０は、ＣＳＩ−ＲＳ送信によって占有されるリソースエレメントおよびＣＳＩ−ＲＳ送信のためのサブフレームを決定するようにさらに構成され、
送信器３１は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を送信することをスキップするようにさらに構成される。
【０３４０】
さらに、プロセッサ３０は、ＣＳＩ−ＲＳ送信によって占有されるリソースエレメントを決定するようにさらに構成され、
送信器３１は、第１の情報の拡張された送信のための決定されたサブフレーム内で、ＣＳＩ−ＲＳ送信によって占有されるリソースエレメント上で第１の情報を送信することをスキップするようにさらに構成される。
【０３４１】
さらに、プロセッサ３０は、ＣＳＩ−ＲＳ送信のためのサブフレームを決定するようにさらに構成され、
送信器３１は、ＣＳＩ−ＲＳ送信のためのサブフレーム内で第１の情報を送信することをスキップするようにさらに構成される。
【０３４２】
さらに、プロセッサ３０は、具体的には、予め設定された規則に従って、利用可能なＣＳＩ−ＲＳ構成を決定し、または利用可能なＣＳＩ−ＲＳ構成を設定するように構成され、利用可能なＣＳＩ−ＲＳ構成は、１または複数のＣＳＩ−ＲＳ構成を含み、
プロセッサ３０は、具体的には、利用可能なＣＳＩ−ＲＳ構成に従って、ＣＳＩ−ＲＳ送信によって占有されるリソースエレメントを決定するように構成され、
送信器３１は、シグナリングを使用することによって、利用可能なＣＳＩ−ＲＳ構成をユーザ機器に通知するようにさらに構成される。
【０３４３】
さらに、プロセッサ３０は、具体的には、予め設定された規則に従って、利用可能なＣＳＩ−ＲＳサブフレーム構成を決定し、または利用可能なＣＳＩ−ＲＳサブフレーム構成を設定するように構成され、利用可能なＣＳＩ−ＲＳサブフレーム構成は、１または複数のＣＳＩ−ＲＳサブフレーム構成を含み、
プロセッサ３０は、利用可能なＣＳＩ−ＲＳサブフレーム構成に従って、ＣＳＩ−ＲＳ送信のためのサブフレームを決定するようにさらに構成され、
送信器３１は、シグナリングを使用することによって、利用可能なＣＳＩ−ＲＳサブフレーム構成をユーザ機器に通知するようにさらに構成される。
【０３４４】
さらに、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【０３４５】
本開示のこの実施形態において提供されるネットワークデバイスは、第１の情報の拡張された送信のためのサブフレームを決定するように構成されたプロセッサと、第１の情報の拡張された送信のための決定されたサブフレーム内で、第１の情報を複数回繰り返して送信し、第１の情報の拡張された送信によって占有されるリソースエレメントのＣＳＩ−ＲＳ送信をスキップするように構成された送信器とを含み、第１の情報は、ＭＩＢであり、少なくとも１つの無線フレーム内でＭＩＢを繰り返して送信する回数は、１回よりも多く、または、第１の情報は、ＳＩＢ１であり、少なくとも２つの連続する無線フレーム内でＳＩＢ１を繰り返して送信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、第１の情報を繰り返して送信する回数は、少なくとも２回である。この解決策によれば、ＣＳＩ−ＲＳ送信と第１の情報の拡張された送信との間の競合は回避されて、第１の情報の送信信頼度を改善することができる。
【実施例１４】
【０３４６】
本開示のこの実施形態は、情報送信デバイス４を提供する。図１９に示されるように、デバイスは、
第１の情報の拡張された送信のためのサブフレームを決定するように構成されたプロセッサ４０と、
第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信器４１と
を含み、
第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。
【０３４７】
さらに、ＦＤＤシステムの場合、第１の情報の拡張された送信のためのサブフレームは、サブフレーム０、サブフレーム４、サブフレーム５、およびサブフレーム９のうちの１または複数のサブフレームを含み、
ＴＤＤシステムの場合、第１の情報の拡張された送信のためのサブフレームは、サブフレーム０、サブフレーム１、サブフレーム５、およびサブフレーム６のうちの１または複数のサブフレームを含む。
【０３４８】
さらに、ＦＤＤシステムの場合、
第１の情報の拡張された送信のためのサブフレームは、サブフレーム９を含み、または、
第１の情報の拡張された送信のためのサブフレームは、サブフレーム４およびサブフレーム９を含み、
ＴＤＤシステムの場合、
第１の情報の拡張された送信のためのサブフレームは、サブフレーム０を含み、または、
第１の情報の拡張された送信のためのサブフレームは、サブフレーム０およびサブフレーム５を含む。
【０３４９】
さらに、第１の情報の拡張された送信のためのサブフレームは、
ＦＤＤシステムの場合、第１の情報の拡張された送信のためのサブフレームは、サブフレーム０および／またはサブフレーム５をさらに含み、
ＴＤＤシステムの場合、第１の情報の拡張された送信のためのサブフレームは、サブフレーム１および／またはサブフレーム６をさらに含む
ことをさらに含む。
【０３５０】
さらに、ＦＤＤシステムの場合、第１の情報の拡張された送信のためのサブフレームは、サブフレーム０、サブフレーム４、サブフレーム５、およびサブフレーム９を含み、
ＴＤＤシステムの場合、第１の情報の拡張された送信のためのサブフレームは、サブフレーム０、サブフレーム１、サブフレーム５、およびサブフレーム６を含む。
【０３５１】
さらに、プロセッサ４０は、ＣＳＩ−ＲＳ送信によって占有されるリソースエレメントおよびＣＳＩ−ＲＳ送信のためのサブフレームを決定するようにさらに構成され、
受信器４１は、ＣＳＩ−ＲＳ送信のためのサブフレームが第１の情報の拡張された送信のためのサブフレームと競合する場合、第１の情報の拡張された送信がＣＳＩ−ＲＳ送信と競合する、決定されたサブフレーム内で、ＣＳＩ−ＲＳ送信によって占有されるリソースエレメント上で第１の情報を受信することをスキップするようにさらに構成される。
【０３５２】
さらに、プロセッサ４０は、ＣＳＩ−ＲＳ送信によって占有されるリソースエレメントを決定するようにさらに構成され、
受信器４１は、第１の情報の拡張された送信のための決定されたサブフレーム内で、ＣＳＩ−ＲＳ送信によって占有されるリソースエレメント上で第１の情報を受信することをスキップするようにさらに構成される。
【０３５３】
さらに、プロセッサ４０は、ＣＳＩ−ＲＳ送信のためのサブフレームを決定するようにさらに構成され、
受信器４１は、ＣＳＩ−ＲＳ送信のためのサブフレーム内で第１の情報を受信することをスキップするようにさらに構成される。
【０３５４】
さらに、プロセッサ４０は、具体的には、予め設定された規則に従って、利用可能なＣＳＩ−ＲＳ構成を決定するように構成され、利用可能なＣＳＩ−ＲＳ構成は、１または複数のＣＳＩ−ＲＳ構成を含み、
受信器４１は、基地局からシグナリングを受信するようにさらに構成され、シグナリングは、利用可能なＣＳＩ−ＲＳ構成を通知するために使用され、
プロセッサ４０は、利用可能なＣＳＩ−ＲＳ構成に従って、ＣＳＩ−ＲＳ送信によって占有されるリソースエレメントを決定するようにさらに構成される。
【０３５５】
さらに、プロセッサ４０は、具体的には、予め設定された規則に従って、利用可能なＣＳＩ−ＲＳサブフレーム構成を決定するように構成され、利用可能なＣＳＩ−ＲＳサブフレーム構成は、１または複数のＣＳＩ−ＲＳサブフレーム構成を含み、
受信器４１は、基地局からシグナリングを受信するようにさらに構成され、シグナリングは、利用可能なＣＳＩ−ＲＳサブフレーム構成を通知するために使用され、
プロセッサ４０は、利用可能なＣＳＩ−ＲＳサブフレーム構成に従って、ＣＳＩ−ＲＳ送信のためのサブフレームを決定するようにさらに構成される。
【０３５６】
さらに、シグナリングは、
ＭＩＢ、システム情報ブロックＳＩＢ、無線リソース制御ＲＲＣ共通シグナリング、ＲＲＣ専用シグナリング、メディアアクセス制御ＭＡＣシグナリング、または物理層シグナリング
を含む。
【０３５７】
本開示のこの実施形態において提供される情報送信デバイスは、第１の情報の拡張された送信のためのサブフレームを決定するように構成されたプロセッサと、第１の情報の拡張された送信のための決定されたサブフレーム内で、複数回繰り返して送信される第１の情報を受信し、複数回繰り返して送信される受信された第１の情報によって占有されるリソースエレメントのＣＳＩ−ＲＳ送信をスキップするように構成された受信器とを含み、第１の情報は、ＭＩＢであり、少なくとも１つの無線フレーム内で、繰り返して送信されるＭＩＢを受信する回数は、１回よりも多く、または、第１の情報は、ＳＩＢ１であり、少なくとも２つの連続する無線フレーム内で、繰り返して送信されるＳＩＢ１を受信する回数は、１回よりも多く、または、第１の情報は、ＭＩＢおよびＳＩＢ１を除く他のシステム情報、ユニキャストデータ、ページングメッセージ、ランダムアクセス応答ＲＡＲ、ランダムアクセスコンテンション解決メッセージ、もしくは制御情報であり、第１の情報の拡張された送信のための決定されたサブフレーム内で、繰り返して送信される第１の情報を受信する回数は、少なくとも２回である。この解決策によれば、ＣＳＩ−ＲＳ送信と第１の情報の拡張された送信との間の競合は回避されて、第１の情報の送信信頼度を改善することができる。
【実施例１５】
【０３５８】
本開示のこの実施形態は、上述された任意の特徴を有する基地局と、上述された任意の特徴を有するユーザ機器とを含む情報送信システムをさらに提供する。
【０３５９】
本開示のこの実施形態において提供される情報送信システムは、上述された任意の特徴を有する基地局と、上述された任意の特徴を有するユーザ機器とを含む。この解決策によれば、ＣＳＩ−ＲＳ送信と第１の情報の拡張された送信との間の競合は回避されて、第１の情報の送信信頼度を改善することができる。
【実施例１６】
【０３６０】
本開示のこの実施形態は、情報送信方法を提供する。図２０に示されるように、方法は、下記を含む。
【０３６１】
Ｓ１５０１：基地局は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０３６２】
従来技術においては、カバレッジ拡張の場合、カバレッジ拡張を必要とするＵＥは、ＳＩＢ１およびＳＩＢ２を受信する前に、ＴＤＤ構成およびＭＢＳＦＮサブフレーム構成を学習することができない。そのため、拡張された送信が第１の情報に対して実行される場合、拡張された送信において使用されるサブフレームは決定されることができず、それによって、第１の情報の送信信頼度を低下させる。本開示のこの実施形態は、第１の情報の拡張された送信において使用されるサブフレームを決定して、第１の情報の送信信頼度を改善することができる情報送信方法を提供する。
【０３６３】
まず、基地局は、第１の情報の拡張された送信のためのサブフレームを決定する。
【０３６４】
第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０３６５】
ＴＤＤ構成を含むＳＩＢは、ＳＩＢ１のみに限定されず、ＴＤＤ構成を含む別のＳＩＢｘであってもよいことが、留意されるべきである。同様に、ＭＢＳＦＮサブフレーム構成を含むＳＩＢも、ＳＩＢ２のみに限定されず、ＴＤＤ構成を含む別のＳＩＢｙであってもよい。ここで、ｘおよびｙは、ともに正の整数である。一般に、ＴＤＤ構成を含むＳＩＢｘのｘの値は、ＭＢＳＦＮサブフレーム構成を含むＳＩＢｙのｙの値と等しくないが、詳細には、ｘの値は、ｙの値と等しくてもよく、これは、本開示において限定されない。
【０３６６】
第１の情報の拡張された送信のためのサブフレームは、下記のうちのいずれか１つまたは組み合わせを含み、第１の情報の拡張された送信のための少なくとも１つのサブフレームが存在することが、さらに留意されるべきである。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０３６７】
詳細には、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０３６８】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０３６９】
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０３７０】
Ｓ１５０２：基地局は、第１の情報の拡張された送信のための決定されたサブフレーム内で、第１の情報の拡張された送信を実行する。
【０３７１】
第１の情報の拡張された送信のためのサブフレームを決定した後、基地局は、第１の情報の拡張された送信のための決定されたサブフレーム内で、第１の情報の拡張された送信を実行する。
【０３７２】
基地局が、第１の情報の拡張された送信のための決定されたサブフレーム内で、第１の情報の拡張された送信を実行する場合、異なるタイプの第１の情報に応じて、第１の情報を送信する具体的な手法が異なることが、留意されるべきである。第１の情報が、マスタ情報ブロックである場合、基地局は、少なくとも１つの無線フレーム内で、マスタ情報ブロックの拡張された送信を１回よりも多い回数実行し、第１の情報が、ＴＤＤ構成を含むＳＩＢである場合、基地局は、少なくとも２つの連続する無線フレーム内で、ＳＩＢの拡張された送信を１回よりも多い回数実行し、または、第１の情報が、ＭＢＳＦＮサブフレーム構成を含むＳＩＢである場合、基地局は、第１の情報の拡張された送信のための決定されたサブフレーム内で、ＳＩＢの拡張された送信を少なくとも２回である回数実行する。
【０３７３】
本開示のこの実施形態において提供される、第１の情報の拡張された送信の場合、拡張された送信の言及される回数は、第１の情報の最初の送信を含むことが、付加的に留意されるべきである。例えば、拡張された送信が１であることは、第１の情報が１回だけ送信されること、つまり、第１の情報を付加的に繰り返して送信しないことを示し、拡張された送信が２であることは、第１の情報が２回送信されること、つまり、第１の情報を付加的に１回繰り返して送信することを示す。
【０３７４】
本開示のこの実施形態は、第１の情報の拡張された送信のためのサブフレームが決定され、第１の情報が、マスタ情報ブロックであり、または、第１の情報が、ＴＤＤ構成を含むＳＩＢであり、または、第１の情報が、ＭＢＳＦＮサブフレーム構成を含むＳＩＢであり、第１の情報の拡張された送信が、第１の情報の拡張された送信のための決定されたサブフレーム内で実行される情報送信方法を提供する。この解決策によれば、第１の情報の拡張された送信において使用されるサブフレームが決定されて、第１の情報の送信信頼度を改善することができる。
【実施例１７】
【０３７５】
本開示のこの実施形態は、情報送信方法を提供する。図２１に示されるように、方法は、下記を含む。
【０３７６】
Ｓ１６０１：基地局は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０３７７】
本開示のこの実施形態は、第１の情報の拡張された送信において使用されるサブフレームを決定して、第１の情報の送信信頼度を改善することができる情報送信方法を提供する。
【０３７８】
まず、基地局は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０３７９】
ＴＤＤ構成を含むＳＩＢは、ＳＩＢ１のみに限定されず、ＴＤＤ構成を含む別のＳＩＢｘであってもよいことが、留意されるべきである。同様に、ＭＢＳＦＮサブフレーム構成を含むＳＩＢも、ＳＩＢ２のみに限定されず、ＴＤＤ構成を含む別のＳＩＢｙであってもよい。ここで、ｘおよびｙは、ともに正の整数である。一般に、ＴＤＤ構成を含むＳＩＢｘのｘの値は、ＭＢＳＦＮサブフレーム構成を含むＳＩＢｙのｙの値と等しくないが、詳細には、ｘの値は、ｙの値と等しくてもよく、これは、本開示において限定されない。
【０３８０】
第１の情報の拡張された送信のためのサブフレームは、下記のうちのいずれか１つまたは組み合わせを含むことが、さらに留意されるべきである。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０３８１】
詳細には、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０３８２】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０３８３】
既存のＬＴＥシステムまたはＬＴＥ−Ａシステムにおいて、時間ドメインリソースは、無線フレームとして分割され、無線フレームは、０から１０２３まで番号を付される。１つの無線フレームは、１０個のサブフレームを含み、１つのサブフレームの時間長は、１ｍｓであり、各無線フレーム内のサブフレームは、０から９まで番号を付される。
【０３８４】
ＦＤＤシステムまたはＨａｌｆ  ＦＤＤシステムの場合、サブフレーム０、サブフレーム４、サブフレーム５、およびサブフレーム９は、確実にＭＢＳＦＮサブフレームではないと決定され得る。そのため、第１の情報の拡張された送信のためのサブフレームは、確実にサブフレーム０、サブフレーム４、サブフレーム５、およびサブフレーム９のうちの１または複数となる。ＴＤＤシステムの場合、サブフレーム０、サブフレーム１、サブフレーム５、およびサブフレーム６は、確実にＭＢＳＦＮサブフレームではないが、サブフレーム１は、確実に特殊サブフレームであり、サブフレーム６は、特殊サブフレームであり得る。そのため、第１の情報の拡張された送信のためのサブフレームは、確実にサブフレーム０および／またはサブフレーム５であり、サブフレーム６をさらに含み得る。
【０３８５】
例示として、ＴＤＤシステムの場合であって、サブフレーム０、サブフレーム１、サブフレーム２、およびサブフレーム６が、ＴＤＤシステムのアップリンク構成およびダウンリンク構成におけるサブフレームであるとき、サブフレーム６も特殊サブフレームである。そのため、第１の情報の拡張された送信のためのサブフレームは、サブフレーム０および／またはサブフレーム５のみとなり得る。サブフレーム３、サブフレーム４、およびサブフレーム５が、ＴＤＤシステムのアップリンク構成およびダウンリンク構成におけるサブフレームであり、かつ、サブフレーム６が、ＴＤＤシステムのダウンリンク構成のみにおけるサブフレームであるとき、サブフレーム６は、特殊サブフレームではない。そのため、第１の情報の拡張された送信のためのサブフレームは、サブフレーム０、サブフレーム５、およびサブフレーム６のうちの１または複数であり得る。
【０３８６】
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０３８７】
Ｓ１６０２：基地局は、第１の情報の（ｒｅｐ＿ｉｎｄｅｘ＋１）回目の拡張された送信における冗長バージョンＲＶを決定する。
【０３８８】
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０３８９】
基地局が、第１の情報の拡張された送信のためのサブフレームを決定した後、冗長バージョンＲＶによって規定されるフォーマットが、第１の情報について使用され、第１の情報の拡張された送信が、第１の情報の拡張された送信のための決定されたサブフレーム内で実行されるように、第１の情報の拡張された送信中の第１の情報の冗長バージョンＲＶは、第１の情報の拡張された送信の回数に応じて変化する。
【０３９０】
Ｓ１６０３：基地局は、第１の情報の拡張された送信のための決定されたサブフレーム内で、第１の情報の拡張された送信を実行する。
【０３９１】
具体的には、第１の情報の拡張された送信のための決定されたサブフレーム内で、第１の情報の拡張された送信を基地局によって実行するステップＳ１６０３は、ステップＳ１６０３ａからＳ１６０３ｃを含み得る。
【０３９２】
Ｓ１６０３ａ：第１の情報が、マスタ情報ブロックである場合、基地局は、少なくとも１つの無線フレーム内で、マスタ情報ブロックの拡張された送信を１回よりも多い回数実行する。
【０３９３】
Ｓ１６０３ｂ：第１の情報が、ＴＤＤ構成を含むＳＩＢである場合、基地局は、少なくとも２つの連続する無線フレーム内で、ＳＩＢの拡張された送信を１回よりも多い回数実行する。
【０３９４】
Ｓ１６０３ｃ：第１の情報が、ＭＢＳＦＮサブフレーム構成を含むＳＩＢである場合、基地局は、第１の情報の拡張された送信のための決定されたサブフレーム内で、ＳＩＢの拡張された送信を少なくとも２回である回数実行する。
【０３９５】
第１の情報の拡張された送信とページングメッセージおよび／またはランダムアクセス応答メッセージの拡張された送信との間の競合を回避するために、第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されないこと、および、
第１の情報の拡張された送信が、制御チャネルに基づいてスケジューリングされない場合、小帯域搬送波（small-bandwidth carrier）上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含むことが、留意されるべきである。
【０３９６】
第１の情報のタイプに応じて、第１の情報の拡張された送信と他の情報の拡張された送信との間に優先関係が存在することが、さらに留意されるべきである。
第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在し、
予め設定された第１の時間オフセットおよび予め設定された第２の時間オフセットは、ともに一定の時間オフセット値であり、予め設定された第１の時間オフセットは、予め設定された第２の時間オフセットと等しくてもよく、または、予め設定された第１の時間オフセットは、予め設定された第２の時間オフセットと等しくなくてもよく、これは、本開示において限定されない。
【０３９７】
本開示のこの実施形態は、第１の情報の拡張された送信のためのサブフレームが決定され、第１の情報が、マスタ情報ブロックであり、または、第１の情報が、時分割複信ＴＤＤ構成を含むシステム情報ブロックＳＩＢであり、または、第１の情報が、マルチキャスト−ブロードキャスト単一周波数ネットワークＭＢＳＦＮサブフレーム構成を含むＳＩＢであり、第１の情報の拡張された送信が、第１の情報の拡張された送信のための決定されたサブフレーム内で実行される情報送信方法を提供する。この解決策によれば、第１の情報の拡張された送信において使用されるサブフレームが決定されて、第１の情報の送信信頼度を改善することができる。
【実施例１８】
【０３９８】
本開示のこの実施形態は、情報送信方法を提供する。図２２に示されるように、方法は、下記を含む。
【０３９９】
Ｓ１７０１：ユーザ機器は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０４００】
本開示のこの実施形態は、第１の情報の拡張された送信において使用されるサブフレームを決定して、第１の情報の送信信頼度を改善することができる情報送信方法を提供する。
【０４０１】
まず、ユーザ機器は、第１の情報の拡張された送信のためのサブフレームを決定する。
【０４０２】
第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０４０３】
ＴＤＤ構成を含むＳＩＢは、ＳＩＢ１のみに限定されず、ＴＤＤ構成を含む別のＳＩＢｘであってもよいことが、留意されるべきである。同様に、ＭＢＳＦＮサブフレーム構成を含むＳＩＢも、ＳＩＢ２のみに限定されず、ＴＤＤ構成を含む別のＳＩＢｙであってもよい。ここで、ｘおよびｙは、ともに正の整数である。一般に、ＴＤＤ構成を含むＳＩＢｘのｘの値は、ＭＢＳＦＮサブフレーム構成を含むＳＩＢｙのｙの値と等しくないが、詳細には、ｘの値は、ｙの値と等しくてもよく、これは、本開示において限定されない。
【０４０４】
第１の情報の拡張された送信のためのサブフレームは、下記のうちのいずれか１つまたは組み合わせを含み、第１の情報の拡張された送信のための少なくとも１つのサブフレームが存在することが、さらに留意されるべきである。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４０５】
詳細には、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４０６】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４０７】
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４０８】
Ｓ１７０２：ユーザ機器は、第１の情報の拡張された送信のための決定されたサブフレーム内で第１の情報を受信する。
【０４０９】
第１の情報の拡張された送信のためのサブフレームを決定した後、ユーザ機器は、第１の情報の拡張された送信のための決定されたサブフレーム内で第１の情報を受信する。
【０４１０】
ユーザ機器が、第１の情報の拡張された送信のための決定されたサブフレーム内で第１の情報を受信する場合、異なるタイプの第１の情報に応じて、第１の情報を受信する具体的な手法が異なることが、留意されるべきである。第１の情報が、マスタ情報ブロックである場合、ユーザ機器は、少なくとも１つの無線フレーム内で、マスタ情報ブロックを１回よりも多い回数受信し、第１の情報が、ＴＤＤ構成を含むＳＩＢである場合、ユーザ機器は、少なくとも２つの連続する無線フレーム内で、ＳＩＢを１回よりも多い回数受信し、または、第１の情報が、ＭＢＳＦＮサブフレーム構成を含むＳＩＢである場合、ユーザ機器は、第１の情報の拡張された送信のための決定されたサブフレーム内で、ＳＩＢを少なくとも２回である回数受信する。
【０４１１】
本開示のこの実施形態において提供される、第１の情報の拡張された送信の場合、拡張された送信の言及される回数は、第１の情報の最初の送信を含むことが、付加的に留意されるべきである。例えば、拡張された送信が１であることは、第１の情報が１回だけ送信されること、つまり、第１の情報を付加的に繰り返して送信しないことを示し、拡張された送信が２であることは、第１の情報が２回送信されること、つまり、第１の情報を付加的に１回繰り返して送信することを示す。
【０４１２】
本開示のこの実施形態は、第１の情報の拡張された送信のためのサブフレームが決定され、第１の情報が、マスタ情報ブロックであり、または、第１の情報が、ＴＤＤ構成を含むＳＩＢであり、または、第１の情報が、ＭＢＳＦＮサブフレーム構成を含むＳＩＢであり、第１の情報が、第１の情報の拡張された送信のための決定されたサブフレーム内で受信される情報送信方法を提供する。この解決策によれば、第１の情報の拡張された送信において使用されるサブフレームが決定されて、第１の情報の送信信頼度を改善することができる。
【実施例１９】
【０４１３】
本開示のこの実施形態は、情報送信方法を提供する。図２３に示されるように、方法は、下記を含む。
【０４１４】
Ｓ１８０１：ユーザ機器は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０４１５】
本開示のこの実施形態は、第１の情報の拡張された送信において使用されるサブフレームを決定して、第１の情報の送信信頼度を改善することができる情報送信方法を提供する。
【０４１６】
まず、ユーザ機器は、第１の情報の拡張された送信のためのサブフレームを決定する。第１の情報は、マスタ情報ブロックであり、または、第１の情報は、ＴＤＤ構成を含むＳＩＢであり、または、第１の情報は、ＭＢＳＦＮサブフレーム構成を含むＳＩＢである。
【０４１７】
ＴＤＤ構成を含むＳＩＢは、ＳＩＢ１のみに限定されず、ＴＤＤ構成を含む別のＳＩＢｘであってもよいことが、留意されるべきである。同様に、ＭＢＳＦＮサブフレーム構成を含むＳＩＢも、ＳＩＢ２のみに限定されず、ＴＤＤ構成を含む別のＳＩＢｙであってもよい。ここで、ｘおよびｙは、ともに正の整数である。一般に、ＴＤＤ構成を含むＳＩＢｘのｘの値は、ＭＢＳＦＮサブフレーム構成を含むＳＩＢｙのｙの値と等しくないが、詳細には、ｘの値は、ｙの値と等しくてもよく、これは、本開示において限定されない。
【０４１８】
第１の情報の拡張された送信のためのサブフレームは、下記のうちのいずれか１つまたは組み合わせを含むことが、さらに留意されるべきである。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４１９】
詳細には、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４２０】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４２１】
既存のＬＴＥシステムまたはＬＴＥ−Ａシステムにおいて、時間ドメインリソースは、無線フレームとして分割され、無線フレームは、０から１０２３まで番号を付される。１つの無線フレームは、１０個のサブフレームを含み、１つのサブフレームの時間長は、１ｍｓであり、各無線フレーム内のサブフレームは、０から９まで番号を付される。
【０４２２】
ＦＤＤシステムまたはＨａｌｆ  ＦＤＤシステムの場合、サブフレーム０、サブフレーム４、サブフレーム５、およびサブフレーム９は、確実にＭＢＳＦＮサブフレームではないと決定され得る。そのため、第１の情報の拡張された送信のためのサブフレームは、確実にサブフレーム０、サブフレーム４、サブフレーム５、およびサブフレーム９のうちの１または複数となる。ＴＤＤシステムの場合、サブフレーム０、サブフレーム１、サブフレーム５、およびサブフレーム６は、確実にＭＢＳＦＮサブフレームではないが、サブフレーム１は、確実に特殊サブフレームであり、サブフレーム６は、特殊サブフレームであり得る。そのため、第１の情報の拡張された送信のためのサブフレームは、確実にサブフレーム０および／またはサブフレーム５であり、サブフレーム６をさらに含み得る。
【０４２３】
例示として、ＴＤＤシステムの場合であって、サブフレーム０、サブフレーム１、サブフレーム２、およびサブフレーム６が、ＴＤＤシステムのアップリンク構成およびダウンリンク構成におけるサブフレームであるとき、サブフレーム６も特殊サブフレームである。そのため、第１の情報の拡張された送信のためのサブフレームは、サブフレーム０および／またはサブフレーム５のみとなり得る。サブフレーム３、サブフレーム４、およびサブフレーム５が、ＴＤＤシステムのアップリンク構成およびダウンリンク構成におけるサブフレームであり、かつ、サブフレーム６が、ＴＤＤシステムのダウンリンク構成のみにおけるサブフレームであるとき、サブフレーム６は、特殊サブフレームではない。そのため、第１の情報の拡張された送信のためのサブフレームは、サブフレーム０、サブフレーム５、およびサブフレーム６のうちの１または複数であり得る。
【０４２４】
サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４２５】
Ｓ１８０２：ユーザ機器は、第１の情報の（ｒｅｐ＿ｉｎｄｅｘ＋１）回目の拡張された送信における冗長バージョンＲＶを決定する。
【０４２６】
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０４２７】
ユーザ機器が、第１の情報の拡張された送信のためのサブフレームを決定した後、冗長バージョンＲＶによって規定されるフォーマットが、第１の情報について使用され、第１の情報が、第１の情報の拡張された送信のための決定されたサブフレーム内で受信されるように、第１の情報の拡張された送信中の第１の情報の冗長バージョンＲＶは、第１の情報の拡張された送信の回数に応じて変化する。
【０４２８】
Ｓ１８０３：ユーザ機器は、第１の情報の拡張された送信のための決定されたサブフレーム内で第１の情報を受信する。
【０４２９】
具体的には、第１の情報の拡張された送信のための決定されたサブフレーム内で第１の情報をユーザ機器によって受信するステップＳ１８０３は、ステップＳ１８０３ａからＳ１８０３ｃを含み得る。
【０４３０】
Ｓ１８０３ａ：第１の情報が、マスタ情報ブロックである場合、ユーザ機器は、少なくとも１つの無線フレーム内で、マスタ情報ブロックを１回よりも多い回数受信する。
【０４３１】
Ｓ１８０３ｂ：第１の情報が、ＴＤＤ構成を含むＳＩＢである場合、ユーザ機器は、少なくとも２つの連続する無線フレーム内で、ＳＩＢを１回よりも多い回数受信する。
【０４３２】
Ｓ１８０３ｃ：第１の情報が、ＭＢＳＦＮサブフレーム構成を含むＳＩＢである場合、ユーザ機器は、第１の情報の拡張された送信のための決定されたサブフレーム内で、ＳＩＢを少なくとも２回である回数受信する。
【０４３３】
第１の情報の拡張された送信とページングメッセージおよび／またはランダムアクセス応答メッセージの拡張された送信との間の競合を回避するために、第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されないこと、および、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含むことが、留意されるべきである。
【０４３４】
第１の情報のタイプに応じて、第１の情報の拡張された送信と他の情報の拡張された送信との間に優先関係が存在することが、さらに留意されるべきである。
第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在し、
予め設定された第１の時間オフセットおよび予め設定された第２の時間オフセットは、ともに一定の時間オフセット値であり、予め設定された第１の時間オフセットは、予め設定された第２の時間オフセットと等しくてもよく、または、予め設定された第１の時間オフセットは、予め設定された第２の時間オフセットと等しくなくてもよく、これは、本開示において限定されない。
【０４３５】
本開示のこの実施形態は、第１の情報の拡張された送信のためのサブフレームが決定され、第１の情報が、マスタ情報ブロックであり、または、第１の情報が、ＴＤＤ構成を含むＳＩＢであり、または、第１の情報が、ＭＢＳＦＮサブフレーム構成を含むＳＩＢであり、第１の情報が、第１の情報の拡張された送信のための決定されたサブフレーム内で受信される情報送信方法を提供する。この解決策によれば、第１の情報の拡張された送信において使用されるサブフレームが決定されて、第１の情報の送信信頼度を改善することができる。
【実施例２０】
【０４３６】
本開示のこの実施形態は、情報送信装置を提供する。図２４に示されるように、情報送信装置は、決定モジュール５０と、送出モジュール５１とを含み、
決定モジュール５０は、第１の情報の拡張された送信のためのサブフレームを決定するように構成され、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢであり、
送出モジュール５１は、決定モジュール５０が第１の情報の拡張された送信のためのサブフレームを決定した後、第１の情報の拡張された送信のための決定されたサブフレーム内で、第１の情報の拡張された送信を実行するように構成される。
【０４３７】
さらに、送出モジュール５１は、具体的には、第１の情報がマスタ情報ブロックである場合、少なくとも１つの無線フレーム内で、マスタ情報ブロックの拡張された送信を１回よりも多い回数実行し、第１の情報がＴＤＤ構成を含むＳＩＢである場合、少なくとも２つの連続する無線フレーム内で、ＳＩＢの拡張された送信を１回よりも多い回数実行し、または、第１の情報がＭＢＳＦＮサブフレーム構成を含むＳＩＢである場合、第１の情報の拡張された送信のための決定されたサブフレーム内で、ＳＩＢの拡張された送信を少なくとも２回である回数実行するように構成される。
【０４３８】
さらに、周波数分割複信ＦＤＤシステムまたは半周波数分割複信Ｈａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４３９】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４４０】
さらに、サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４４１】
さらに、第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されず、
第１の情報の拡張された送信が、制御チャネルに基づいてスケジューリングされない場合、小帯域搬送波上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含む。
【０４４２】
さらに、第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在し、ここで
【０４４３】
さらに、決定モジュール５０は、第１の情報の（ｒｅｐ＿ｉｎｄｅｘ＋１）回目の拡張された送信における冗長バージョンＲＶを決定するようにさらに構成される。ここで、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０４４４】
さらに、第１の情報の拡張された送信のためのサブフレームは、下記のうちのいずれか１つまたは組み合わせを含む。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４４５】
本開示のこの実施形態は、決定モジュールと、送出モジュールとを含み、決定モジュールは、第１の情報の拡張された送信のためのサブフレームを決定するように構成され、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢであり、送出モジュールは、決定モジュールが第１の情報の拡張された送信のためのサブフレームを決定した後、第１の情報の拡張された送信のための決定されたサブフレーム内で、第１の情報の拡張された送信を実行するように構成される、情報送信装置を提供する。この解決策によれば、第１の情報の拡張された送信において使用されるサブフレームが決定されて、第１の情報の送信信頼度を改善することができる。
【実施例２１】
【０４４６】
本開示のこの実施形態は、別の情報送信装置を提供する。図２５に示されるように、情報送信装置は、決定モジュール６０と、受信モジュール６１とを含み、
決定モジュール６０は、第１の情報の拡張された送信のためのサブフレームを決定するように構成され、第１の情報は、マスタ情報ブロックであり、または、第１の情報は、ＴＤＤ構成を含むＳＩＢであり、または、第１の情報は、ＭＢＳＦＮサブフレーム構成を含むＳＩＢであり、
受信モジュール６１は、決定モジュール６０が第１の情報の拡張された送信のためのサブフレームを決定した後、第１の情報の拡張された送信のための決定されたサブフレーム内で第１の情報を受信するように構成される。
【０４４７】
さらに、受信モジュール６１は、具体的には、第１の情報がマスタ情報ブロックである場合、少なくとも１つの無線フレーム内で、マスタ情報ブロックを１回よりも多い回数受信し、第１の情報がＴＤＤ構成を含むＳＩＢである場合、少なくとも２つの連続する無線フレーム内で、ＳＩＢを１回よりも多い回数受信し、または、第１の情報がＭＢＳＦＮサブフレーム構成を含むＳＩＢである場合、第１の情報の拡張された送信のための決定されたサブフレーム内で、ＳＩＢを少なくとも２回である回数受信するように構成される。
【０４４８】
さらに、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４４９】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４５０】
さらに、サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４５１】
さらに、第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されず、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含む。
【０４５２】
さらに、第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在する。
【０４５３】
さらに、決定モジュール６０は、第１の情報の（ｒｅｐ＿ｉｎｄｅｘ＋１）回目の拡張された送信における冗長バージョンＲＶを決定するようにさらに構成される。ここで、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０４５４】
さらに、第１の情報の拡張された送信のためのサブフレームは、下記のうちのいずれか１つまたは組み合わせを含む。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４５５】
本開示のこの実施形態は、決定モジュールと、受信モジュールとを含み、決定モジュールは、第１の情報の拡張された送信のためのサブフレームを決定するように構成され、第１の情報は、マスタ情報ブロックであり、または、第１の情報は、ＴＤＤ構成を含むＳＩＢであり、または、第１の情報は、ＭＢＳＦＮサブフレーム構成を含むＳＩＢであり、受信モジュールは、決定モジュールが第１の情報の拡張された送信のためのサブフレームを決定した後、第１の情報の拡張された送信のための決定されたサブフレーム内で、第１の情報を受信するように構成される、情報送信装置を提供する。この解決策によれば、第１の情報の拡張された送信において使用されるサブフレームが決定されて、第１の情報の送信信頼度を改善することができる。
【実施例２２】
【０４５６】
本開示のこの実施形態は、ネットワークデバイスを提供する。図２６に示されるように、ネットワークデバイスは、プロセッサ７０と、送信器７１とを含み、
プロセッサ７０は、第１の情報の拡張された送信のためのサブフレームを決定するように構成され、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢであり、
送信器７１は、プロセッサ７０が第１の情報の拡張された送信のためのサブフレームを決定した後、第１の情報の拡張された送信のための決定されたサブフレーム内で、第１の情報の拡張された送信を実行するように構成される。
【０４５７】
さらに、送信器７１は、具体的には、第１の情報がマスタ情報ブロックである場合、少なくとも１つの無線フレーム内で、マスタ情報ブロックの拡張された送信を１回よりも多い回数実行し、第１の情報がＴＤＤ構成を含むＳＩＢである場合、少なくとも２つの連続する無線フレーム内で、ＳＩＢの拡張された送信を１回よりも多い回数実行し、または、第１の情報がＭＢＳＦＮサブフレーム構成を含むＳＩＢである場合、第１の情報の拡張された送信のための決定されたサブフレーム内で、ＳＩＢの拡張された送信を少なくとも２回である回数実行するように構成される。
【０４５８】
さらに、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４５９】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４６０】
さらに、サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４６１】
さらに、第１の情報の拡張された送信が、制御チャネルに基づいてスケジューリングされる場合、ページングメッセージおよび／またはランダムアクセス応答メッセージの付加的な拡張された送信は、第１の情報の拡張された送信のための決定されたサブフレーム内で実行されず、
第１の情報の拡張された送信が、制御チャネルに基づいてスケジューリングされない場合、小帯域搬送波上で、ページングメッセージおよび／またはランダムアクセス応答メッセージの付加的な拡張された送信は、第１の情報の拡張された送信のための決定されたサブフレーム内で実行されず、小帯域搬送波は、少なくとも１．４ＭＨｚの搬送波および／または３ＭＨｚの搬送波を含む。
【０４６２】
さらに、第１の情報が、ＴＤＤ構成を含むＳＩＢである場合、第１の情報の拡張された送信は、マスタ情報ブロックの拡張された送信の後となり、第１の情報の拡張された送信とマスタ情報ブロックの拡張された送信との間には、予め設定された第１の時間オフセットが存在し、
第１の情報が、ＭＢＳＦＮサブフレーム構成を含むＳＩＢである場合、第１の情報の拡張された送信は、ＴＤＤ構成を含むＳＩＢの拡張された送信の後となり、第１の情報の拡張された送信とＴＤＤ構成を含むＳＩＢの拡張された送信との間には、予め設定された第２の時間オフセットが存在する。
【０４６３】
さらに、プロセッサ７０は、第１の情報の（ｒｅｐ＿ｉｎｄｅｘ＋１）回目の拡張された送信における冗長バージョンＲＶを決定するようにさらに構成される。ここで、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０４６４】
さらに、第１の情報の拡張された送信のためのサブフレームは、下記のうちのいずれか１つまたは組み合わせを含む。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４６５】
本開示のこの実施形態は、プロセッサと、送信器とを含み、プロセッサは、第１の情報の拡張された送信のためのサブフレームを決定するように構成され、第１の情報は、マスタ情報ブロックであり、または、第１の情報は、時分割複信ＴＤＤ構成を含むシステム情報ブロックＳＩＢであり、または、第１の情報は、マルチキャスト−ブロードキャスト単一周波数ネットワークＭＢＳＦＮサブフレーム構成を含むＳＩＢであり、送信器は、プロセッサが第１の情報の拡張された送信のためのサブフレームを決定した後、第１の情報の拡張された送信のための決定されたサブフレーム内で、第１の情報の拡張された送信を実行するように構成される、ネットワークデバイスを提供する。この解決策によれば、第１の情報の拡張された送信において使用されるサブフレームが決定されて、第１の情報の送信信頼度を改善することができる。
【実施例２３】
【０４６６】
本開示のこの実施形態は、情報送信デバイスを提供する。図２７に示されるように、情報送信デバイスは、プロセッサ８０と、受信器８１とを含み、
プロセッサ８０は、第１の情報の拡張された送信のためのサブフレームを決定するように構成され、第１の情報は、マスタ情報ブロックであり、または、第１の情報は、ＴＤＤ構成を含むＳＩＢであり、または、第１の情報は、ＭＢＳＦＮサブフレーム構成を含むＳＩＢであり、
受信器８１は、プロセッサ８０が第１の情報の拡張された送信のためのサブフレームを決定した後、第１の情報の拡張された送信のための決定されたサブフレーム内で第１の情報を受信するように構成される。
【０４６７】
さらに、受信器８１は、具体的には、第１の情報がマスタ情報ブロックである場合、少なくとも１つの無線フレーム内で、マスタ情報ブロックを１回よりも多い回数受信し、第１の情報がＴＤＤ構成を含むＳＩＢである場合、少なくとも２つの連続する無線フレーム内で、ＳＩＢを１回よりも多い回数受信し、または、第１の情報がＭＢＳＦＮサブフレーム構成を含むＳＩＢである場合、第１の情報の拡張された送信のための決定されたサブフレーム内で、ＳＩＢを少なくとも２回である回数受信するように構成される。
【０４６８】
さらに、ＦＤＤシステムまたはＨａｌｆ  ＦＤＤシステムの場合、第１の情報の拡張された送信のためのサブフレームは、サブフレーム０、サブフレーム４、サブフレーム５、およびサブフレーム９のうちの１または複数を含み、
ＴＤＤシステムの場合、第１の情報の拡張された送信のためのサブフレームは、サブフレーム０および／またはサブフレーム５を含む。
【０４６９】
さらに、ＴＤＤシステムの場合であって、第１の情報がＭＢＳＦＮサブフレーム構成を含むＳＩＢであり、かつ、サブフレーム６が特殊サブフレームではないとき、第１の情報の拡張された送信のためのサブフレームは、サブフレーム６をさらに含む。
【０４７０】
さらに、サブフレーム０は、少なくとも１つの無線フレームにおける各無線フレーム内のサブフレーム０、または少なくとも１つの偶数番号の無線フレームにおける各偶数番号の無線フレーム内のサブフレーム０、または少なくとも１つの奇数番号の無線フレームにおける各奇数番号の無線フレーム内のサブフレーム０であり、
サブフレーム４は、少なくとも１つの無線フレームにおける各無線フレーム内のサブフレーム４、または少なくとも１つの偶数番号の無線フレームにおける各偶数番号の無線フレーム内のサブフレーム４、または少なくとも１つの奇数番号の無線フレームにおける各奇数番号の無線フレーム内のサブフレーム４であり、
サブフレーム５は、少なくとも１つの無線フレームにおける各無線フレーム内のサブフレーム５、または少なくとも１つの偶数番号の無線フレームにおける各偶数番号の無線フレーム内のサブフレーム５、または少なくとも１つの奇数番号の無線フレームにおける各奇数番号の無線フレーム内のサブフレーム５であり、
サブフレーム６は、少なくとも１つの無線フレームにおける各無線フレーム内のサブフレーム６、または少なくとも１つの偶数番号の無線フレームにおける各偶数番号の無線フレーム内のサブフレーム６、または少なくとも１つの奇数番号の無線フレームにおける各奇数番号の無線フレーム内のサブフレーム６であり、
サブフレーム９は、少なくとも１つの無線フレームにおける各無線フレーム内のサブフレーム９、または少なくとも１つの偶数番号の無線フレームにおける各偶数番号の無線フレーム内のサブフレーム９、または少なくとも１つの奇数番号の無線フレームにおける各奇数番号の無線フレーム内のサブフレーム９である。
【０４７１】
さらに、第１の情報の拡張された送信が、制御チャネルに基づいてスケジューリングされる場合、付加的な拡張された送信が実行されるページングメッセージおよび／またはランダムアクセス応答メッセージは、第１の情報の拡張された送信のための決定されたサブフレーム内で受信されず、
第１の情報の拡張された送信が、制御チャネルに基づいてスケジューリングされない場合、小帯域搬送波上で、付加的な拡張された送信が実行されるページングメッセージおよび／またはランダムアクセス応答メッセージは、第１の情報の拡張された送信のための決定されたサブフレーム内で受信されず、小帯域搬送波は、少なくとも１．４ＭＨｚの搬送波および／または３ＭＨｚの搬送波を含む。
【０４７２】
さらに、第１の情報が、ＴＤＤ構成を含むＳＩＢである場合、第１の情報の受信は、マスタ情報ブロックの受信の後となり、第１の情報の受信とマスタ情報ブロックの受信との間には、予め設定された第１の時間オフセットが存在し、
第１の情報が、ＭＢＳＦＮサブフレーム構成を含むＳＩＢである場合、第１の情報の受信は、ＴＤＤ構成を含むＳＩＢの受信の後となり、第１の情報の受信とＴＤＤ構成を含むＳＩＢの受信との間には、予め設定された第２の時間オフセットが存在する。
【０４７３】
さらに、プロセッサ８０は、第１の情報の（ｒｅｐ＿ｉｎｄｅｘ＋１）回目の拡張された送信における冗長バージョンＲＶを決定するようにさらに構成される。ここで、
ＲＶインデックス＝ｃｅｉｌ（３／２＊｛ｒｅｐ＿ｉｎｄｅｘ  ｍｏｄ４｝）ｍｏｄ４であり、ｃｅｉｌ（ｘ）は、ラウンドアップ関数であり、ｒｅｐ＿ｉｎｄｅｘは、第１の情報の拡張された送信の回数の数であり、ｍｏｄは、モジュロ演算であり、または、ＲＶは、拡張された送信の回数のインデックスに従って、０、２、３、および１の順序で決定される。
【０４７４】
さらに、第１の情報の拡張された送信のためのサブフレームは、下記のうちのいずれか１つまたは組み合わせを含む。
第１の情報の拡張された送信のためのサブフレームは、第１の情報の拡張された送信機会におけるサブフレーム、または第１の情報の拡張された送信バンドルにおけるサブフレームである。
第１の情報の拡張された送信のためのサブフレームは、少なくとも１つの無線フレーム内のサブフレームである。
第１の情報の拡張された送信のためのサブフレームは、少なくとも１つのシステム情報ウィンドウ内のサブフレームである。
【０４７５】
本開示のこの実施形態は、プロセッサと、受信器とを含み、プロセッサは、第１の情報の拡張された送信のためのサブフレームを決定するように構成され、第１の情報は、マスタ情報ブロックであり、または、第１の情報は、ＴＤＤ構成を含むＳＩＢであり、または、第１の情報は、ＭＢＳＦＮサブフレーム構成を含むＳＩＢであり、受信器は、プロセッサが第１の情報の拡張された送信のためのサブフレームを決定した後、第１の情報の拡張された送信のための決定されたサブフレーム内で、第１の情報を受信するように構成される、情報送信デバイスを提供する。この解決策によれば、第１の情報の拡張された送信において使用されるサブフレームが決定されて、第１の情報の送信信頼度を改善することができる。
【実施例２４】
【０４７６】
本開示のこの実施形態は、上述された任意の特徴を有するネットワークデバイスと、上述された任意の特徴を有する情報送信デバイスとを含む情報送信システムを提供する。
【０４７７】
本開示のこの実施形態において提供される情報送信システムは、上述された任意の特徴を有するネットワークデバイスと、上述された任意の特徴を有する情報送信デバイスとを含む。この解決策によれば、第１の情報の拡張された送信において使用されるサブフレームが決定されて、第１の情報の送信信頼度を改善することができる。
【０４７８】
好都合で簡単な説明の目的のために、前述の機能モジュールの分割は、例示のための例としてみなされることが、当業者によって明確に理解され得る。実際の適用例においては、前述の機能は、異なる機能モジュールに割り当てられ、要件に従って実装され得る。つまり、装置の内部構造は、上述された機能の全部または一部を実装するために、異なる機能モジュールに分割される。前述のシステム、装置、およびユニットの詳細な作業工程については、前述の方法実施形態における対応する工程への参照がなされることができ、詳細は、ここでは再度説明されない。
【０４７９】
本出願において提供されるいくつかの実施形態においては、開示された装置および方法が他の手法で実装されてもよいことが、理解されるべきである。例えば、説明された装置実施形態は、単なる例示にすぎない。例えば、モジュール分割またはユニット分割は、単なる論理機能分割にすぎず、実際の実装では他の分割であってもよい。例えば、複数のユニットまたは構成要素は、別のシステムに組み合わされ、もしくは一体化されてもよく、または、いくつかの特徴は、無視され、もしくは実行されなくてもよい。また、表示または議論された、相互結合または直接結合または通信接続は、いくつかのインターフェースを通じて実装されてもよい。装置またはユニット間の間接結合または通信接続は、電子的形態、機械的形態、または他の形態で実装されてもよい。
【０４８０】
別個の部分として説明されたユニットは、物理的に別個であっても、または物理的に別個でなくてもよく、ユニットとして表示された部分は、物理的ユニットであっても、または物理的ユニットでなくてもよく、１つの場所に位置しても、または複数のネットワークユニットに分散されてもよい。ユニットの一部または全部は、実施形態の解決策の課題を達成するために、実際のニーズに応じて選択され得る。
【０４８１】
また、本開示の実施形態における機能ユニットは、１つの処理ユニットに一体化されてもよく、または、ユニットの各々は、物理的に単独で存在してもよく、または、２つ以上のユニットは、１つのユニットに一体化される。一体化されたユニットは、ハードウェアの形態で実装されてもよく、または、ソフトウェア機能ユニットの形態で実装されてもよい。
【０４８２】
一体化されたユニットが、ソフトウェア機能ユニットの形態で実装され、独立した製品として販売または使用される場合、一体化されたユニットは、コンピュータ読取可能な記憶媒体に記憶され得る。そのような理解に基づいて、本開示の技術的解決策は本質的に、または従来技術に貢献する部分は、または技術的解決策の全部もしくは一部は、ソフトウェア製品の形態で実装され得る。ソフトウェア製品は、記憶媒体に記憶され、コンピュータデバイス（これは、パーソナルコンピュータ、サーバ、もしくはネットワークデバイスであり得る）またはプロセッサに、本開示の実施形態において説明された方法のステップの全部または一部を実行するように命令するためのいくつかの命令を含む。前述の記憶媒体は、ＵＳＢフラッシュドライブ、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの、プログラムコードを記憶することができる任意の媒体を含む。
【０４８３】
当業者は、方法実施形態のステップの全部または一部が、関連するハードウェアに命令するプログラムによって実装されてもよいことを理解し得る。プログラムは、コンピュータ読取可能な記憶媒体に記憶され得る。プログラムが走ると、方法実施形態のステップが実行される。前述の記憶媒体は、ＲＯＭ、ＲＡＭ、磁気ディスク、または光ディスクなどの、プログラムコードを記憶することができる任意の媒体を含む。
【０４８４】
前述の説明は、本開示の単なる具体的な実装手法にすぎず、本開示の保護範囲を限定することを意図されない。本開示において開示された技術的範囲内で当業者によって容易に想到されるいかなるバリエーションまたは置換も、本開示の保護範囲内に収まるべきものである。そのため、本開示の保護範囲は、特許請求の範囲の保護範囲を基準とすべきである。
【図１】
0006500025.tif 000002
【図２】
0006500025.tif 000003
【図３】
0006500025.tif 000004
【図４】
0006500025.tif 000005
【図５】
0006500025.tif 000006
【図６】
0006500025.tif 000007
【図７】
0006500025.tif 000008
【図８】
0006500025.tif 000009
【図９】
0006500025.tif 000010
【図１０】
0006500025.tif 000011
【図１１】
0006500025.tif 000012
【図１２】
0006500025.tif 000013
【図１３】
0006500025.tif 000014
【図１４】
0006500025.tif 000015
【図１５】
0006500025.tif 000016
【図１６】
0006500025.tif 000017
【図１７】
0006500025.tif 000018
【図１８】
0006500025.tif 000019
【図１９】
0006500025.tif 000020
【図２０】
0006500025.tif 000021
【図２１】
0006500025.tif 000022
【図２２】
0006500025.tif 000023
【図２３】
0006500025.tif 000024
【図２４】
0006500025.tif 000025
【図２５】
0006500025.tif 000026
【図２６】
0006500025.tif 000027
【図２７】
0006500025.tif 000028